(57)【要約】磁気記録再生装置の磁気ディスク媒体には、第１の一時記録領域と第１の一時記録領域とは異なる領域に形成された通常記録領域とが予め設けられ、磁気ヘッドは磁気ディスク媒体に対してデータの記録再生を行い、スピンドルモータは磁気ディスク媒体を回転させ、制御回路は、磁気ディスク媒体に対するデータの記録再生の制御を行い、さらに、制御回路は、温度検知回路で検知された検知温度が設定温度以下の場合、データを第１の一時記録領域に一時記録データとして一時記録し、その後、検知温度が設定温度以上になった場合、一時記録データを通常記録領域に代替記録する。この構成により、磁気記録再生装置の使用温度環境が変化し、特に低温環境時において、所定の記録再生性能を確保するとともに、製造コストと装置の小型化との点に優れた磁気記録再生装置とそのデータ記録方法とが提供される。【特許請求の範囲】
【請求項１】
第１の一時記録領域と前記第１の一時記録領域とは異なる領域に形成された通常記録領域とが予め設けられた磁気ディスク媒体と、
前記磁気ディスク媒体に対してデータの記録再生を行う磁気ヘッドと、
前記磁気ディスク媒体を回転させるスピンドルモータと、
前記磁気ディスク媒体に対するデータの記録再生の制御を行う制御回路と、
周囲温度を検知するための温度検知回路と、
半導体メモリー回路と、を備え、
前記制御回路は、
前記温度検知回路で検知された検知温度が設定温度以下の場合、前記データを前記第１の一時記録領域に一時記録データとして一時記録し、
その後、前記検知温度が設定温度以上になった場合、前記一時記録データを前記通常記録領域に代替記録する、
磁気記録再生装置。
【請求項２】
記録領域が設けられた磁気ディスク媒体と、
前記磁気ディスク媒体に対してデータの記録再生を行う磁気ヘッドと、
前記磁気ディスク媒体を回転させるスピンドルモータと、
前記磁気ディスク媒体に対するデータの記録再生の制御を行う制御回路と、
周囲温度を検知するための温度検知回路と、
半導体メモリー回路と、を備え、
前記制御回路は、
前記温度検知回路で検知された検知温度が設定温度以下となった場合、前記記録領域の任意の領域に第１の一時記録領域と通常記録領域とを設け、
前記データを前記第１の一時記録領域に一時記録データとして一時記録し、
その後、前記検知温度が設定温度以上になった場合、前記一時記録データを前記通常記録領域に代替記録する、
磁気記録再生装置。
【請求項３】
前記半導体メモリー回路は、
前記データを一時記録するための第２の一時記録領域が予め設けられた、
請求項１または請求項２のいずれか１項に記載の磁気記録再生装置。
【請求項４】
前記一時記録データは、
前記検知温度に基づいて決定される一時記録条件で記録される、
請求項１または請求項２のいずれか１項に記載の磁気記録再生装置。
【請求項５】
前記一時記録データは、
前記通常記録領域に記録されるデータに比べ、前記磁気ディスク媒体の円周方向の記録密度が低い記録密度で記録される、
請求項１または請求項２のいずれか１項に記載の磁気記録再生装置。
【請求項６】
前記第１の一時記録領域は、
前記磁気ディスク媒体の外周部に配置されている、
請求項５に記載の磁気記録再生装置。
【請求項７】
前記一時記録データは、
前記通常記録領域に記録されるデータに比べ、低い記録トラック密度で記録される、請求項１または請求項２のいずれか１項に記載の磁気記録再生装置。
【請求項８】
前記一時記録データは、
少なくとも１記録トラックおきに記録される、
請求項７に記載の磁気記録再生装置。
【請求項９】
前記一時記録データは、
前記通常記録領域に記録されるデータに比べ、前記磁気ヘッドと前記磁気ディスク媒体との相対速度が速い速度で記録される、
請求項５に記載の磁気記録再生装置。
【請求項１０】
前記第１の一時記録領域は、
前記磁気ディスク媒体の内周部に配置されている、
請求項９に記載の磁気記録再生装置。
【請求項１１】
前記制御回路は、
前記第１の一時記録領域の空き領域がなくなる前に、警告を発するとともに、
前記一時記録データの書き込み禁止処理を行う、
請求項１に記載の磁気記録再生装置。
【請求項１２】
前記制御回路は、
前記第２の一時記録領域の空き領域がなくなった後、前記データを前記第１の一時記録領域に一時記録する、
請求項３に記載の磁気記録再生装置。
【請求項１３】
前記制御回路は、
前記第２の一時記録領域の空き領域がなくなる時点で、第１の警告を発し、
さらに、前記第１の一時記録領域の空き領域がなくなる時点で第２の警告を発するとともに、
前記一時記録データの書き込み禁止処理を行う、
請求項１２に記載の磁気記録再生装置。
【請求項１４】
前記制御回路は、
前記一時記録データを一時記録した後、前記検知温度が設定温度以上になった場合、前記一時記録データを前記通常記録領域に予め設定されたタイミングで自動的に代替記録を行う、
請求項１または請求項２のいずれか１項に記載の磁気記録再生装置。
【請求項１５】
前記制御回路に接続されたホスト機器をさらに備え、
前記ホスト機器の充電動作中に前記代替記録を行う、
請求項１４に記載の磁気記録再生装置。
【請求項１６】
前記通常記録領域に代替記録される前記一時記録データは、
前記代替記録時と前記代替記録後との少なくともいずれかに、前記一時記録データがデータベリファイされたデータである、
請求項１４に記載の磁気記録再生装置。
【請求項１７】
前記一時記録データは、
前記データベリファイが完了した後に削除される、
請求項１６に記載の磁気記録再生装置。
【請求項１８】
前記第１の一時記録領域は、
前記データベリファイの完了時と前記データベリファイの完了した後との少なくともいずれかに、ＤＣイレースされる、
請求項１７に記載の磁気記録再生装置。
【請求項１９】
磁気ディスク媒体は、
前記一時記録データの論理アドレスが記録され、
前記制御回路は、
前記論理アドレスを管理する、
請求項２に記載の磁気記録再生装置。
【請求項２０】
前記一時記録データは、
一時的な記録であることを示す識別符号が付加される、
請求項２に記載の磁気記録再生装置。
【請求項２１】
データの記録モード設定時に、初期のデータ記録条件を設定する初期条件設定ステップと、
温度検知回路によって、第１の検知温度を検知する第１の温度検知ステップと、
前記第１の検知温度に基づいて、磁気ディスク媒体に予め設けられた第１の一時記録領域に、前記データの一時記録を行うかどうかを判定する一時記録判定ステップと、
前記一時記録判定ステップで、前記一時記録を行うと判定された場合、前記一時記録のための一時記録条件を制御回路に設定する一時記録条件設定ステップと、
前記第１の一時記録領域に前記データを一時記録データとして一時記録する一時記録ステップと、
前記一時記録を終了する一時記録終了ステップと、
前記一時記録判定ステップで、前記一時記録を行わないと判定された場合、前記初期のデータ記録条件で前記データを通常記録データとして通常記録する通常記録ステップと、
前記通常記録を終了する通常記録終了ステップと、
代替記録モード設定時に、前記温度検知回路によって、第２の検知温度を検知する第２の温度検知ステップと、
前記第２の検知温度に基づいて、前記磁気ディスク媒体の前記第１の一時記録領域以外に予め設けられた通常記録領域に、前記一時記録データの代替記録を行うかどうかを判定する代替記録判定ステップと、
前記代替記録判定ステップで、前記代替記録を行うと判定された場合、前記代替記録のための条件を前記制御回路に設定する代替記録条件設定ステップと、
前記通常記録領域に前記一時記録データを代替記録データとして代替記録する代替記録ステップと、
前記代替記録を終了する代替記録終了ステップと、
前記代替記録判定ステップで、前記代替記録を行わないと判定された場合、前記代替記録モードを中止する代替記録中止ステップと、を備えた、
磁気記録再生装置のデータ記録方法。
【請求項２２】
データの記録モード設定時に、初期のデータ記録条件を設定する初期条件設定ステップと、
温度検知回路によって、第１の検知の温度を検知する第１の温度検知ステップと、
前記第１の検知温度に基づいて、磁気ディスク媒体の任意の記録領域に設けられる第１の一時記録領域に、前記データの一時記録を行うかどうかを判定する一時記録判定ステップと、
前記一時記録判定ステップで、前記一時記録を行うと判定された場合、前記一時記録のための一時記録条件を制御回路に設定する一時記録条件設定ステップと、
前記第１の一時記録領域に前記データを一時記録データとして一時記録する一時記録ステップと、
前記一時記録を終了する一時記録終了ステップと、
前記一時記録判定ステップで、前記一時記録を行わないと判定された場合、前記初期のデータ記録条件で前記データを通常記録データとして通常記録する通常記録ステップと、
前記通常記録を終了する通常記録終了ステップと、
代替記録モード設定時に、前記温度検知回路によって、第２の検知温度を検知する第２の温度検知ステップと、
前記第２の検知温度に基づいて、前記第１の一時記録領域以外の前記磁気ディスク媒体の任意の通常記録領域に、前記一時記録データの代替記録を行うかどうか判定する代替記録判定ステップと、
前記代替記録判定ステップで、前記代替記録を行うと判定された場合、前記代替記録のための条件を前記制御回路に設定する代替記録条件設定ステップと、
前記通常記録領域に前記一時記録データを代替記録データとして代替記録する代替記録ステップと、
前記代替記録を終了する代替記録終了ステップと、
前記代替記録判定ステップで、前記代替記録を行わないと判定された場合、前記代替記録モードを中止する代替記録中止ステップと、を備えた、
磁気記録再生装置のデータ記録方法。
【請求項２３】
前記一時記録判定ステップは、
前記第１の検知温度が設定温度以下となった場合、前記一時記録を行うと判定する、
請求項２１または請求項２２のいずれか１項に記載の磁気記録再生装置のデータ記録方法。
【請求項２４】
前記一時記録ステップは、
半導体メモリー回路に予め設けられた第２の一時記録領域に前記データを一時記録データとして一時記録する、
請求項２１または請求項２２のいずれか１項に記載の磁気記録再生装置のデータ記録方法。
【請求項２５】
前記一時記録条件は、前記第１の検知温度に基づいて決定され、
前記一時記録データは、前記一時記録条件で記録される、
請求項２１または請求項２２のいずれか１項に記載の磁気記録再生装置のデータ記録方法。
【請求項２６】
前記一時記録条件は、
前記初期のデータ記録条件に比べ、前記磁気ディスク媒体の円周方向の記録密度が低い記録条件である、
請求項２１または請求項２２のいずれか１項に記載の磁気記録再生装置のデータ記録方法。
【請求項２７】
前記第１の一時記録領域は、前記磁気ディスク媒体の外周部に配置された、
請求項２６に記載の磁気記録再生装置のデータ記録方法。
【請求項２８】
前記一時記録条件は、
前記初期のデータ記録条件に比べ、記録トラック密度が低い記録条件である、
請求項２１または請求項２２のいずれか１項に記載の磁気記録再生装置のデータ記録方法。
【請求項２９】
前記一時記録条件は、
少なくとも１記録トラックおきに記録する記録条件である、
請求項２８記載の磁気記録再生装置のデータ記録方法。
【請求項３０】
前記一時記録条件は、
前記初期のデータ記録条件に比べ、磁気ヘッドと前記磁気ディスク媒体の相対速度が高い記録条件である、
請求項２１または請求項２２のいずれか１項に記載の磁気記録再生装置のデータ記録方法。
【請求項３１】
前記第１の一時記録領域は、前記磁気ディスク媒体の内周部に配置される、
請求項３０に記載の磁気記録再生装置のデータ記録方法。
【請求項３２】
前記第１の一時記録領域の空き領域がなくなる前に、第１の警告を発する第１の警告発令ステップと、
前記一時記録データの書き込み禁止処理を行う一時記録中止ステップと、をさらに備えた、
請求項２１に記載の磁気記録再生装置のデータ記録方法。
【請求項３３】
前記一時記録ステップは、
前記第２の一時記録領域に前記データを一時記録し、
前記第２の一時記録領域の空き領域がなくなった時点で、前記第１の一時記録領域に、前記データを一時記録する、
請求項２４に記載の磁気記録再生装置のデータ記録方法。
【請求項３４】
前記第２の一時記録領域の空き領域がなくなる時点で、第２の警告を発する第２の警告発令ステップと、
前記第１の一時記録領域の空き領域がなくなる時点で、第１の警告を発する第１の警告発令ステップと、
前記一時記録データの書き込み禁止処理を行う一時記録中止ステップと、をさらに備えた、
請求項３３に記載の磁気記録再生装置のデータ記録方法。
【請求項３５】
予め設定されたタイミングで、自動的に前記代替記録モードが設定される、
請求項２１または請求項２２のいずれか１項に記載の磁気記録再生装置のデータ記録方法。
【請求項３６】
前記代替記録ステップは、
前記制御回路に接続されるホスト機器の充電動作中に実行される、
請求項３５に記載の磁気記録再生装置のデータ記録方法。
【請求項３７】
前記代替記録データと前記一時記録データとをデータベリファイするデータベリファイステップをさらに備え、
前記データベリファイステップは、前記代替記録ステップと同時か、前記代替記録ステップの後か、の少なくともいずれかに実行される、
請求項３５に記載の磁気記録再生装置のデータ記録方法。
【請求項３８】
前記データベリファイステップは、
前記一時記録データのデータベリファイが完了した後に、前記データベリファイが完了した一時記録データを削除する、
請求項３７に記載の磁気記録再生装置のデータ記録方法。
【請求項３９】
前記第１の一時記録領域をＤＣイレースするＤＣイレースステップをさらに備え、
前記ＤＣイレースステップは、前記データベリファイステップと同時か、前記データベリファイステップの後か、の少なくともいずれかに実行される、
請求項３８に記載の磁気記録再生装置のデータ記録方法。
【請求項４０】
前記一時記録判定ステップは、
前記第１の検知温度が予め決められた設定温度以下となった場合、前記一時記録を行うと判定し、
前記一時記録データの論理アドレスを前記磁気ディスク媒体に記録し、前記論理アドレスを前記制御回路で管理する管理ステップをさらに備えた、
請求項２２に記載の磁気記録再生装置のデータ記録方法。
【請求項４１】
前記一時記録データは、一時的な記録であることを示す識別符号が付加される、
請求項２２に記載の磁気記録再生装置のデータ記録方法。
【発明の詳細な説明】
【技術分野】
【０００１】  本発明は携帯電話装置、携帯端末装置などの、携帯型情報機器に内蔵あるいは搭載される小型の磁気記録再生装置およびそのデータ記録方法に関する。
【背景技術】
【０００２】  近年、携帯型情報機器は目ざましく進歩している。特に、携帯電話装置においては、電話機機能の高度化はもちろんのこと、大量の文字と画像データとを取り扱う機能、電子メール機能、ブラウザ機能などが追加されている。このように、携帯電話装置には、電話機機能だけでなく、一種の携帯用コンピュータとしての機能が要求されている。このような理由から、各種機能のデータやプログラムなどを記録し、保存するための大容量のメモリシステムを、携帯電話装置の中に備える必要が生じている。【０００３】  しかしながら、携帯電話装置に代表される携帯型情報機器に磁気記録再生装置を内蔵する場合、磁気記録再生装置に対して、従来よりも広い使用環境（特に動作温度）が要求される。今まで、ＨＤＤ（Ｈａｒｄ  Ｄｉｓｋ  Ｄｒｉｖｅ）に代表される磁気記録再生装置の使用される環境温度は、ＰＣ（Ｐｅｒｓｏｎａｌ  Ｃｏｍｐｕｔｅｒ）内蔵用としては、５℃から５５℃であった。しかしながら、ＨＤＤが携帯型情報機器などへ搭載されることを考えると、使用される環境温度は、−２０℃から７０℃程度である。したがって、非常に厳しい温度範囲において、ＨＤＤの動作保証が要求される。【０００４】  図２５は、従来の磁気記録再生装置において、使用される温度と記録信号のＳＮＲ（Ｓｉｇｎａｌ  ｔｏ  Ｎｏｉｓｅ  Ｒａｔｉｏ）との関係を示す特性図である。図２５からわかるように、磁気記録再生装置内の温度が低下するにしたがって、ＳＮＲが下がる傾向が見られる。一般的に、低温環境では、磁気記録再生装置内の磁気ディスク媒体の保磁力が増加する。このことにより、低温環境では、記録が難しくなる。また、記録条件によっては、媒体ノイズが増加する。このことにより、記録信号のＳＮＲの低下が生じると考えられる。また、データの記録品質の低下が生ずると、エラーレートが増加する。さらに、磁気記録再生装置のトータル性能が低下するおそれがある。【０００５】  そこで、従来の磁気記録再生装置において、低温環境下での記録動作に適応する技術が、例えば、特開２００４−９５１１９号公報（以下、特許文献１と呼ぶ）、特開２００３−３４６３０４号公報（以下、特許文献２と呼ぶ）などに開示されている。【０００６】  特許文献１によれば、磁気記録再生装置内の記録媒体は、第１の磁気ディスク媒体領域と第２の磁気ディスク媒体領域とをあらかじめ有している。第１の磁気ディスク媒体領域は、磁気記録再生装置の周囲温度が低温の時に、データの書き込みまたは記録が容易である記録領域である。また、第２の磁気ディスク媒体領域は、磁気記録再生装置の周囲温度が高温の時に、データの保持が容易である記録領域である。そして、磁気記録再生装置内の記録媒体の温度が検知され、検知された温度に応じて、それぞれ、第１の磁気ディスク媒体領域と第２の磁気ディスク媒体領域とに記録する方式が採られる。【０００７】  また、特許文献２によれば、磁気記録再生装置内に第１の磁気ディスク媒体と第２の磁気ディスク媒体とが設けられている。第１の磁気ディスク媒体は、磁気記録再生装置の周囲温度が低温の時に、データの書き込みまたは記録が容易である磁気ディスク媒体である。また、第２の磁気ディスク媒体は、磁気記録再生装置の周囲温度が高温の時に、データの保持が容易である磁気ディスク媒体である。そして、磁気記録再生装置の周囲温度が低温の場合には、第１の磁気ディスク媒体にデータが記録され、周囲温度が高温の場合には、第２の磁気ディスク媒体にデータが記録される。【０００８】  以上のように、記録媒体の温度変化によって、低温下でのデータ記録品質が低下することを防止するため、特許文献１に開示される磁気記録再生装置は、書き込み性能の異なる２種類以上の領域をあらかじめ有する磁気ディスク媒体が用意されている。そして、磁気記録再生装置内で検知された温度に応じて、データを記録する領域が切り替えられる。【０００９】  しかしながら、実際には、同じ磁気ディスク媒体内に書き込み性能が大きく異なる２種類以上の磁気ディスク媒体領域が設けられることは困難である。また、複数の磁気ディスク媒体領域を有する磁気ディスク媒体の作製コストは非常に高い。そして、一般的に低温下で記録しやすい領域は、熱ゆらぎも起こりやすい。このことによって、長期のデータ保存が難しい。さらに、磁気ディスク媒体１枚あたりの実質的な記録容量が減少する。【００１０】  また、特許文献２に開示される磁気記録再生装置は、周囲温度が低温の場合には、第１の磁気ディスク媒体にデータが記録され、反対に高温の場合には、第２の磁気ディスク媒体にデータが記録される。【００１１】  この構成では、磁気特性の異なる複数の磁気ディスク媒体が用意される。このため、磁気記録再生装置が１枚の磁気ディスク媒体だけでは構成されない。また、低温下で記録が容易である第１の磁気ディスク媒体は、熱ゆらぎの点から、一時的なデータ保存のためだけに使用される磁気ディスク媒体である。このことによって、磁気記録再生装置の低コスト化や小型化が難しい。【００１２】  このように、従来の技術では、携帯型情報機器などに搭載あるいは内蔵される磁気記録再生装置において、求められる環境条件の中、特に、低温時の動作を保障することが困難である。
【発明の開示】
【００１３】  本発明の磁気記録再生装置は、磁気ディスク媒体と、磁気ヘッドとスピンドルモータと、制御回路と、周囲温度を検知するための温度検知回路と、半導体メモリー回路と、を有し、磁気ディスク媒体は、第１の一時記録領域と第１の一時記録領域とは異なる領域に形成された通常記録領域とが予め設けられ、磁気ヘッドは磁気ディスク媒体に対してデータの記録再生を行い、スピンドルモータは磁気ディスク媒体を回転させ、制御回路は、磁気ディスク媒体に対するデータの記録再生の制御を行い、さらに、制御回路は、温度検知回路で検知された検知温度が設定温度以下の場合、データを第１の一時記録領域に一時記録データとして一時記録し、その後、検知温度が設定温度以上になった場合、一時記録データを通常記録領域に代替記録する。この構成により、磁気記録再生装置の使用温度環境が変化し、特に低温環境時において、所定の記録再生性能を確保するとともに、製造コストと装置の小型化との点に優れた磁気記録再生装置が提供される。
【００１４】  また、本発明の磁気記録再生装置のデータ記録方法は、初期条件設定ステップと、第１の温度検知ステップと、一時記録判定ステップと、一時記録条件設定ステップと、一時記録ステップと、一時記録終了ステップと、通常記録ステップと、通常記録終了ステップと、第２の温度検知ステップと、代替記録判定ステップと、代替記録条件設定ステップと、代替記録ステップと、代替記録終了ステップと、代替記録中止ステップと、を有し、初期条件設定ステップは、データの記録モード設定時に、初期のデータ記録条件を設定し、第１の温度検知ステップは、温度検知回路によって、第１の検知温度を検知し、一時記録判定ステップは、第１の検知温度に基づいて、磁気ディスク媒体に予め設けられた第１の一時記録領域に、データの一時記録を行うかどうかを判定し、一時記録条件設定ステップは、一時記録判定ステップで一時記録を行うと判定された場合、一時記録のための一時記録条件を制御回路に設定し、一時記録ステップは、第１の一時記録領域にデータを一時記録データとして一時記録し、一時記録終了ステップは一時記録を終了し、通常記録ステップは、一時記録判定ステップで一時記録を行わないと判定された場合、初期のデータ記録条件でデータを通常記録データとして通常記録し、通常記録終了ステップは通常記録を終了し、第２の温度検知ステップは、代替記録モード設定時に、温度検知回路によって、第２の検知温度を検知し、代替記録判定ステップは、第２の検知温度に基づいて、磁気ディスク媒体の第１の一時記録領域以外に予め設けられた通常記録領域に、一時記録データの代替記録を行うかどうかを判定し、代替記録条件設定ステップは、代替記録判定ステップで代替記録を行うと判定された場合、代替記録のための条件を制御回路に設定し、代替記録ステップは、通常記録領域に一時記録データを代替記録データとして代替記録し、代替記録終了ステップは代替記録を終了し、代替記録中止ステップは、代替記録判定ステップで、代替記録を行わないと判定された場合、代替記録モードを中止する。この構成により、磁気記録再生装置の使用温度環境が変化し、特に低温環境時において、所定の記録再生性能を確保するとともに、製造コストと装置の小型化との点に優れた磁気記録再生装置のデータ記録方法が提供される。
【図面の簡単な説明】
【００１５】
【図１】図１は実施の形態１における磁気記録再生装置の要部を示すブロック図である。
【図２】図２は実施の形態１における磁気記録再生装置にデータを一時記録する処理の概略を示すフローチャートである。
【図３】図３は実施の形態１における磁気記録再生装置のデータの代替記録の処理の概略を示すフローチャートである。
【図４Ａ】図４Ａは実施の形態１における磁気記録再生装置に用いられる磁気ディスク媒体の一例を示す平面図である。
【図４Ｂ】図４Ｂは実施の形態１における磁気記録再生装置に用いられる磁気ディスク媒体の一例を示す平面図である。
【図５Ａ】図５Ａは実施の形態１における磁気記録再生装置に用いられる磁気ディスク媒体のデータパターンを模式的に示す模式図である。
【図５Ｂ】図５Ｂは実施の形態１における磁気記録再生装置に用いられる磁気ディスク媒体のデータパターンを模式的に示す模式図である。
【図６】図６は実施の形態１における磁気記録再生装置に用いられる磁気ディスク媒体のデータ記録密度とバイトエラーレートとの関係を示した特性図である。
【図７】図７は実施の形態１における磁気記録再生装置における温度と必要なバイトエラーレートを満足するデータ記録密度との関係を模式的に示す特性図である。
【図８】図８は実施の形態１における磁気記録再生装置に用いられる磁気ディスク媒体の一例を示す平面図である。
【図９】図９は実施の形態１における磁気記録再生装置の一時記録領域に空き領域がなくなった場合の処理の概略を示すフローチャートである。
【図１０】図１０は実施の形態２における磁気記録再生装置の要部を示すブロック図である。
【図１１Ａ】図１１Ａは実施の形態２における磁気記録再生装置に用いられる磁気ディスク媒体の一例を示す平面図である。
【図１１Ｂ】図１１Ｂは実施の形態２における磁気記録再生装置に用いられる磁気ディスク媒体の一例を示す平面図である。
【図１２】図１２は実施の形態２における磁気記録再生装置に用いられる磁気ディスク媒体の一例を示す平面図である。
【図１３】図１３は実施の形態２における磁気記録再生装置にデータを一時記録する処理の概略を示すフローチャートである。
【図１４Ａ】図１４Ａは実施の形態３における磁気記録再生装置に用いられる磁気ディスク媒体の記録トラックを模式的に示す模式図である。
【図１４Ｂ】図１４Ｂは実施の形態３における磁気記録再生装置に用いられる磁気ディスク媒体の記録トラックを模式的に示す模式図である。
【図１５】図１５は実施の形態３における磁気記録再生装置の温度と記録再生信号のＳＮＲとの関係を示す特性図である。
【図１６】図１６は実施の形態４における磁気記録再生装置のデータの一時記録の処理の概略を示すフローチャートである。
【図１７】図１７は実施の形態４における磁気記録再生装置に用いられる磁気ディスク媒体を模式的に示す模式図である。
【図１８】図１８は実施の形態５における磁気記録再生装置の要部を示すブロック図である。
【図１９】図１９は実施の形態５における磁気記録再生装置の一時記録領域へのデータ記録方法の概略を示すフローチャートである。
【図２０】図２０は実施の形態５における磁気記録再生装置の一時記録領域に空き領域がなくなった場合の処理を示すフローチャートである。
【図２１】図２１は実施の形態６における磁気記録再生装置にデータを一時記録する処理の概略を示すフローチャートである。
【図２２】図２２は実施の形態６における磁気記録再生装置の一時記録データの代替記録の処理の概略を示すフローチャートである。
【図２３】図２３は実施の形態６における磁気記録再生装置の一時記録データの自動代替記録の処理の概略を示すフローチャートである。
【図２４】図２４は実施の形態６における磁気記録再生装置の代替記録されたデータのベリファイ動作の処理の概略を示すフローチャートである。
【図２５】図２５は従来の磁気記録再生装置の温度と記録信号のＳＮＲとの関係を示す図である。
【符号の説明】
【００１６】１００  ヘッドディスクアセンブリ
１０１  磁気ヘッド
１０２，１２２，１３２  磁気ディスク媒体
１０３  スピンドルモータ（ＳＰＭ）
１０４  ヘッド支持部材
１０５  プリアンプ
１０６  温度検知回路
１０７  ＳＰＭドライバ
１０８  ＶＣＭドライバ
１０９  ボイスコイルモータ（ＶＣＭ）
１１０  ＣＰＵ
１１１  半導体メモリー回路
１１２  制御回路（ハードディスクコントローラ）
１１３  リードライトチャネル回路
１１４  サーボコントローラ回路
１１５，１２５，１３５  一時記録領域（磁気ディスク媒体）
１１６，１２６，１３６  一時記録領域（半導体メモリー回路）
１１７，１２７，１３７  通常記録領域（磁気ディスク媒体）
１２０  ホスト機器
１２１，３２１  磁気記録再生装置
２４１，２４１Ａ，２４６，２４６Ａ  磁気ディスク媒体
２４２，２４２Ａ，２４７，２４７Ａ  一時記録領域（磁気ディスク媒体）
２４３，２４３Ａ，２４８，２４８Ａ  通常記録領域（磁気ディスク媒体）
２５２  通常記録データ
２５３  一時記録データ
２６１，２６６，２９１  磁気ディスク媒体
２６２，２６７，２９２  一時記録領域（磁気ディスク媒体）
２６３，２６８，２９３  通常記録領域（磁気ディスク媒体）
２７１  記録トラック
２７２  第１のガードバンド部
２７３  第２のガードバンド部
【発明を実施するための最良の形態】
【００１７】  以下、本発明の実施の形態について、図面を参照しながら説明する。【００１８】  （実施の形態１）
図１は、実施の形態１における磁気記録再生装置の要部を示すブロック図である。【００１９】  図１において、ヘッドディスクアセンブリ１００は、磁気ディスク媒体１０２（以下、媒体１０２と呼ぶ）と磁気ヘッド１０１（以下、ヘッド１０１と呼ぶ）とスピンドルモータ１０３（以下、ＳＰＭ１０３と呼ぶ）とヘッド支持部材１０４とによって構成されている。ＳＰＭ１０３は、媒体１０２を回転駆動する。ヘッド１０１は、ヘッド支持部材１０４を介してボイスコイルモータ１０９（以下、ＶＣＭ１０９と呼ぶ）に装着されている。さらに、ＶＣＭドライバ１０８（以下、ドライバ１０８と呼ぶ）から供給される電流によって、ヘッド１０１が媒体１０２の半径方向に位置決めされている。ドライバ１０８は、サーボコントローラ回路１１４（以下、回路１１４と呼ぶ）の制御信号に基づいて、電流をＶＣＭ１０９に供給する。ＳＰＭ１０３は、ＳＰＭドライバ１０７から駆動電流が供給される。【００２０】  媒体１０２に所望のデータの信号を記録再生するために、ヘッド１０１に供給される記録電流をプリアンプ１０５が制御する。それとともに、プリアンプ１０５は、媒体１０２から再生されたデータの信号を増幅する。リードライトチャネル回路１１３（以下、回路１１３と呼ぶ）は、記録再生されるデータを生成するための処理を行う。そして、回路１１３は、記録再生されるデータをハードディスクコントローラである制御回路１１２（以下、コントローラ１１２と呼ぶ）に送出する。【００２１】  また、回路１１３は、コントローラ１１２から送出されるゲートのタイミングにあわせて、データの符号化処理または再生データの復号化処理を実行する。さらに、回路１１３は、回路１１４から出力されるサーボゲートのタイミングにあわせて、サーボデータの再生処理を実行する。そして、回路１１３は、シークデータと位置誤差データとを含むサーボ情報を回路１１４に送出して、ヘッド１０１の位置決め制御を行う。コントローラ１１２は、ホスト機器１２０のシステムとのインターフェイスを構成しつつ、データ転送制御の管理もあわせて行う。ここで、ホスト機器１２０は、例えば、携帯電話などの携帯型情報機器である。また、上記の装置と回路とを制御するために、ＣＰＵ１１０が設けられている。【００２２】  さらに、磁気記録再生装置１２１（以下、装置１２１と呼ぶ）には、装置内温度あるいは媒体１０２の温度を検知するための温度検知回路１０６（以下、回路１０６と呼ぶ）が設けられている。回路１０６は、例えば、サーミスタなどの温度センサから構成されている。半導体メモリー回路１１１（以下、メモリー１１１と呼ぶ）には、装置１２１全体の制御を実行するファームウェアが格納されている。さらに、メモリー１１１には、回路１０６によって検知された温度に応じた、データを一時記録または代替記録をするための設定（制御）情報が格納されている。【００２３】  さらに、第１の一時記録領域１１５（以下、領域１１５と呼ぶ）が、媒体１０２に予め設けられている。第２の一時記録領域１１６（以下、領域１１６と呼ぶ）が、必要に応じて、メモリー１１１に設けられている。領域１１５と領域１１６とは、それぞれ、データを一時記録するための一時記録領��を構成する。なお、領域１１５と領域１１６とは、固定的に設けられている。そのため、位置情報などの余分な情報を必要としない。つまり、データの一時記録ための制御が容易である。また、媒体１０２は、領域１１５と、領域１１５とは異なる任意の領域に形成された通常記録領域１１７（以下、領域１１７と呼ぶ）とを予め有している。【００２４】  以下に、図２を用いて、実施の形態１における磁気記録再生装置にデータを記録するデータ記録方法について説明する。図２は、実施の形態１における磁気記録再生装置にデータを一時記録する処理の概略を示すフローチャートである。【００２５】  まず、媒体１０２にデータを記録する記録動作の開始がＣＰＵ１１０から命令される（ステップＳ２１）。つまり、ステップＳ２１において、データの記録モードが設定される。次に、初期条件設定ステップにおいて、初期のデータ記録条件（初期設定）がコントローラ１１２と回路１１３とに設定される（ステップＳ２２）。この時の初期のデータ記録条件は、通常の温度範囲（例えば、１０℃〜３０℃程度の室温近傍）でデータを記録することを想定した条件である。つまり、初期のデータ記録条件は、通常記録のための記録条件である。そして、初期のデータ記録条件は、メモリー１１１からコントローラ１１２と回路１１３とへ読み込まれる（ステップＳ２２１）。【００２６】  次に、第１の温度検知ステップにおいて、装置１２１内で、媒体１０２の近傍に配置された回路１０６を用いて、装置１２１内の温度あるいは媒体１０２の温度が検知される（ステップＳ２３）。第１の温度検知ステップにおいて検知された温度が、第１の検知温度である。【００２７】  次に、一時記録判定ステップにおいて、回路１０６を用いて検知された第１の検知温度に基づいて、領域１１５または領域１１６に、新たなデータの一時記録を行うか、または、一時記録を行わないかが判定される（ステップＳ２４）。一時記録の可否の判定に使われる閾値情報は、メモリー１１１に予め格納されている。そして、ステップＳ２３１において、閾値情報が、ＣＰＵ１１０に読み込まれる。ここで、閾値情報は、例えば、予め設定された温度条件などの情報である。一時記録を行う閾値情報が温度条件の場合、温度条件は５℃以下が好ましい。しかしながら、温度条件が５℃以下ではデータの記録品質が低下する場合、温度条件は１０℃以下または１５℃以下でもよい。つまり、温度条件は、データの記録品質に応じて予め設定された条件であればよい。【００２８】  一時記録判定ステップにおいて、一時記録の処理を行うと判定された場合は、一時記録モードが設定され、ステップＳ２５へ進む。また、一時記録の処理を行わないと判定された場合は、ステップＳ２８へ進む。【００２９】  次に、一時記録の処理を行うと判定された場合のデータ記録方法（ステップ２４のＹｅｓ）について説明する。【００３０】  まず、一時記録条件設定ステップにおいて、一時記録の処理を実行するための各種制御条件が、コントローラ１１２と回路１１３とに設定される（ステップＳ２５）。つまり、第１の検知温度に応じて、最適な各種制御条件が設定される。なお、一時記録の処理を実行するための制御条件は、第１の検知温度に基づいて決定される一時記録条件として、予めメモリー１１１に格納されている。メモリー１１１に格納されている一時記録条件が、コントローラ１１２と回路１１３とに読み込まれる（ステップＳ２５１）。ここで、一時記録条件は、例えば、記録電流や記録データレートなどの制御条件である。なお、データの一時記録は、通常のデータ記録時の制御条件よりも、例えば、記録密度が低いなどの記録条件で記録される。【００３１】  次に、一時記録ステップにおいて、一時記録条件設定ステップで設定された一次記録条件に基づいて、領域１１５または領域１１６にデータの一時記録が行なわれる（ステップＳ２６）。なお、領域１１６は、領域１１５へのデータの一時記録に先立って、データが一時記録される。したがって、領域１１６は、必ずしも必要ではない。しかしながら、領域１１６は、データを高速に一時記録する場合などに有効である。また、領域１１５と領域１１６とに一時記録されるデータは、一時記録データとして記録される。【００３２】  そして、上記に示した一連のステップを経て、一時記録終了ステップによって、データの一時記録が終了される（ステップＳ２７）。【００３３】  次に、一時記録を行わないと判定された場合のデータ記録方法（ステップＳ２４のＮｏ）について説明する。【００３４】  第１の検知温度が通常の温度範囲（例えば、１０℃〜３０℃程度の室温近傍）である場合、一時記録判定ステップにおいて、一時記録を行わないと判定される。一時記録を行わないと判定された場合、通常記録ステップにおいて、通常のデータ記録方法でデータが記録される（ステップＳ２８）。通常のデータ記録方法とは、初期のデータ記録条件で記録されることであり、通常記録のことである。また、通常記録されるデータは、通常記録データとして記録される。初期のデータ記録条件で記録される場合、記録される媒体１０２の領域は、コントローラ１１２とＣＰＵ１１０とに保存されるファームウェアによって制御される。つまり、データは、領域１１７に記録される。通常に行われているデータの記録も、同様に、領域１１７にデータが記録される。【００３５】  そして、通常記録終了ステップにおいて、データの通常記録が終了される（ステップＳ２９）。【００３６】  次に、領域１１５に一時記録された一時記録データの代替記録方法について、図３を用いて説明する。なお、データの代替記録とは、予め決められた設定条件を満たす場合に、領域１１５などの一時記録領域に一時記録された一時記録データが、通常のデータ記録条件によって、領域１１７に代替記録データとして記録しなおされることである。なお、代替記録データと通常記録データとは、同様の記録条件で記録される。【００３７】  図３は、実施の形態１における磁気記録再生装置にデータを代替記録する処理の概略を示すフローチャートである。【００３８】  まず、代替記録の開始がＣＰＵ１１０から命令される（ステップＳ３１）。つまり、代替記録モードが設定される。代替記録モードが設定されると、第２の温度検知ステップにおいて、回路１０６を用いて、装置１２１内の温度あるいは媒体１０２の温度が検知される（ステップＳ３２）。第２の温度検知ステップにおいて検知された温度が、��２の検知温度である。【００３９】  次に、代替記録判定ステップにおいて、第２の検知温度に基づいて、領域１１５または領域１１６に記録された一時記録データの代替記録が可能かどうか、が判定される（ステップＳ３３）。代替記録の可否の判定に使われる閾値情報は、メモリー１１１に予め格納されている。代替記録の動作が可能かどうかの判定に先立って、コントローラ１１２と回路１１３とに閾値情報が読み込まれる（ステップＳ３２１）。ここで、閾値情報は、例えば、予め設定された温度条件などの情報である。代替記録を行う閾値情報が温度条件の場合、温度条件は５℃以上が好ましい。しかしながら、温度条件が５℃以上ではデータの記録品質が低下する場合、温度条件は１０℃以上または１５℃以上でもよい。つまり、温度条件は、データの記録品質に応じて予め設定された条件であればよい。【００４０】  代替記録判定ステップにおいて、代替記録の処理を行うと判定された場合は、ステップＳ３４へ進み、代替記録の処理を行わないと判定された場合は、ステップＳ３７へ進む。【００４１】  次に、データの代替記録の処理を行うと判定された場合のデータ記録方法（ステップＳ３３のＹｅｓ）について説明する。【００４２】  まず、代替記録条件設定ステップにおいて、代替記録の処理を実行するための各種制御条件が、コントローラ１１２と回路１１３とに設定される（ステップＳ３４）。なお、代替記録の処理を実行するための制御条件は、代替記録条件として、予めメモリー１１１に格納されている。メモリー１１１に格納されている代替記録条件が、コントローラ１１２と回路１１３とに読み込まれる（ステップＳ３４１）。ここで、代替記録条件は、例えば、記録電流や記録データレートなどの制御条件である。【００４３】  次に、代替記録条件設定ステップにおいて設定された代替記録条件に基づいて、領域１１５または領域１１６に記録された一時記録データが、領域１１７に代替記録データとして代替記録される（ステップＳ３５）。ステップＳ３５が代替記録ステップである。【００４４】  そして、上記に示した一連のステップを経て、代替記録終了ステップにおいて、一時記録データの代替記録が終了される（ステップＳ３６）。【００４５】  また、代替記録判定ステップにおいて、代替記録を行わないと判定された場合（ステップＳ３３のＮｏ）、代替記録中止ステップにおいて、一時記録データの代替記録が一時終了される（ステップＳ３７）。代替記録を行わないと判定される条件としては、例えば、第２の検知温度が５℃以下の状態で維持されている場合である。【００４６】  次に、低温環境下でデータが一時記録される一時記録領域について、図４Ａを用いて説明する。【００４７】  図４Ａは、実施の形態１における磁気記録再生装置１２１に用いられる磁気ディスク媒体の一例を示す平面図である。【００４８】  図４Ａに示すように、磁気ディスク媒体２４１（以下、媒体２４１と呼ぶ）の一部に一時記録領域２４２（以下、領域２４２と呼ぶ）が、予め固定されて、設定されている。領域２４２と通常記録領域２４３（以下、領域２４３と呼ぶ）とは、磁気特性やＨＤＩ（Ｈｅａｄ／Ｄｉｓｋ  Ｉｎｔｅｒｆａｃｅ）特性などの諸特性は、特に変えてい���い。領域２４２と領域２４３とは共に、特別な物理的な処理を必要としない。なお、領域２４２の記録容量などの大きさは、装置１２１の仕様などによって定められる。したがって、領域２４２の大きさは、特に制限されない。【００４９】  図４Ａに示すように、媒体２４１は、領域２４２が予め設定されている。このことにより、コントローラ１１２で管理されるべき領域２４２のアドレスや履歴などのデータの管理が容易に行われる。その結果、低温環境下での一時記録時とその後の代替記録時とのデータの管理が容易である。【００５０】  また、図４Ａにおいて、領域２４２が連続した円帯状の領域で示されている。しかしながら、領域２４２は円帯状の形状に限らない。例えば、扇状の領域に一時記録領域が設定されてもよい。また、図４Ｂに示すように、磁気ディスク媒体２４１Ａ上に、一時記録領域２４２Ａが点在するような不連続な形状で設定されても良い。なお、磁気ディスク媒体２４１Ａ上に、通常記録領域２４３Ａも設けられている。【００５１】  次に、低温環境下で一時記録領域に記録される一時記録データと、一時記録領域に一時記録される一時記録データの記録方法について説明する。【００５２】  図５Ａと図５Ｂとは、実施の形態１における磁気記録再生装置１２１に用いられる磁気ディスク媒体２４１の通常記録領域２４３と一時記録領域２４２とに記録されるデータパターンを示す模式図である。図５Ａは、磁気記録再生装置１２１が常温動作時に領域２４３に記録される通常記録データのデータパターンの一例を示す。また、図５Ｂは、磁気記録再生装置１２１が低温動作時に領域２４２に記録される一時記録データのデータパターンの一例を示す。【００５３】  図５Ａに示すように、領域２４３に、常温環境下で記録された通常記録データ２５２（以下、データ２５２と呼ぶ）の最短ビット長はＴｂ１である。低温環境下で、データが一時記録される領域２４２は、領域２４３と同じ特性の記録トラックを有する。低温環境下で、データ２５２と同じデータが一時記録される場合、図５Ｂに示すように、一時記録データ２５３（以下、データ２５３と呼ぶ）のデータパターンで記録される。データ２５３の最短ビット長はＴｂ２となる。データ２５３は、データ２５２に比べ、低い記録密度で記録される。言い換えると、データ２５３は、データ２５２に比べ、記録密度が下げられて記録される。【００５４】  なお、低温環境下で、データ２５３が記録されるために用いられる記録条件は、第１の検知温度に基づいて決定された一時記録条件である。【００５５】  また、図６は、磁気ディスク媒体に記録されるデータの記録密度とバイトエラーレートとの関係が、磁気記録再生装置内の温度をパラメータとして示された特性図である。図６で示すデータの記録密度は、磁気ディスク媒体の円周方向の記録密度である。【００５６】  図６に示すように、例えば、要求されるバイトエラーレートが、１０Ｅ−５に規定されたとき、環境温度の低下にともなって、記録可能な記録密度の上限値が低下する。環境温度が低下すると、磁気ディスク媒体の保磁力が増加する。磁気ディスク媒体の保持力が増加することによって、データのＳＮＲ性能やオーバーライト性能などが低下する。したがって、温度環境にともなう記録可能な記録密度の上限値の低下は、データのＳＮＲ性能やオーバーライト性能の低下などに起因すると考えられる。【００５７】  また、図７は、磁気記録再生装置内の温度と、磁気記録再生装置に要求されるバイトエラーレートを満足するデータの記録密度（許容記録密度）と、の関係が模式的に示された特性図である。図７は、図６に示した、データの記録密度とバイトエラーレートとの関係に基づいている。【００５８】  要求されるバイトエラーレートを満足するために、磁気記録再生装置内の温度（Ｔ０〜Ｔ２）の低下に応じて、データの記録密度（ＬＤ０〜ＬＤ２）の低い一時記録が行なわれればよいことが、図７からわかる。したがって、低温環境下でも、低い記録密度で記録された一時記録データの品質は、実用上問題ない。また、一時記録データが代替記録される場合においても、データの品質上、問題はない。したがって、低温環境下で一時記録される記録条件は、常温環境下で通常記録される記録条件に比べ、磁気記録媒体の円周方向の記録密度が低い記録密度であるとよい。【００５９】  なお、メモリー１１１は、一時記録条件テーブルを予め格納している。一時記録条件テーブルは、図７で示された、温度と許容記録密度との関係に基づいて、温度と一時記録条件との関係を表している。一時記録条件テーブルは、第１の検知温度に基づいて、許容記録密度を満足し、できるだけ高い記録密度となるように決定された、温度と一時記録条件との関係を表している。したがって、上述の一時記録条件ステップにおいて、第１の検知温度に応じて、第１の検知温度における最適な一時記録条件が、一時記録条件テーブルから選択される。そして、選択された一時記録条件が、一時記録のために、コントローラ１１２と回路１１３とに読み込まれる。さらに、一時記録ステップにおいて、選択され、読み込まれた一時記録条件に基づいて、データが領域１１５に一時記録される。【００６０】  このように、第１の検知温度に基づいて決定される一時記録条件で一時記録されることによって、領域１１５の消費が、可能な限り抑制される。つまり、領域１１５が効率的に使用される。その結果、装置１２１が記録可能な一時記録データの容量が増大する。つまり、記憶容量の効率的利用が可能な磁気記録再生装置１２１が実現される。【００６１】  さらに、低温環境下で、低い記録密度でデータが一時記録される一時記録領域について具体的に図８を用いて説明する。【００６２】  図８は、実施の形態１における磁気記録再生装置に用いることのできる磁気ディスク媒体を示す平面図である。【００６３】  図８に示すように、一時記録領域２６２（以下、領域２６２と呼ぶ）が、可能な限り、磁気ディスク媒体２６１（以下、媒体２６１と呼ぶ）の外周部近傍に固定的に配置されている。領域２６２が媒体２６１の外周部近傍に配置されると、ヘッド１０１と媒体２６１との相対速度が上がる。このことによって、記録データレートを低下させずに、媒体２６１の円周方向の記録密度が低い記録密度の条件で一時記録データが記録される。その結果、装置１２１の記録再生などの性能を維持しながら、高品位なデータ記録ができる。なお、通常記録領域２６３には、通常条件���でデータが通常記録される。【００６４】  次に、磁気ディスク媒体の一時記録領域に空き領域がなくなった場合の処理について図９を用いて説明する。【００６５】  図９は、実施の形態１における磁気記録再生装置１２１のデータを一時記録するための一時記録領域１１５に、空き領域がなくなった場合の処理の概略を示すフローチャートである。【００６６】  まず、一時記録の処理の開始が命令される（ステップＳ１０１）。つまり、一時記録モードが設定される。次に、一時記録領域判定ステップにおいて、領域１１５に空き領域があるかどうかの判定が行なわれる（ステップＳ１０２）。【００６７】  一時記録領域判定ステップにおいて、領域１１５に空き領域がある場合は、ステップＳ１０３へ進み、領域１１５に空き領域がない場合は、ステップＳ１０６へ進む。【００６８】  まず、領域１１５に空き領域がある場合（ステップＳ１０２のＹｅｓ）について説明する。【００６９】  一時記録領域判定ステップにおいて、領域１１５に空き領域があると判定された場合、一時記録条件設定ステップにおいて、一時記録の処理を実行するための各種制御条件が設定される（ステップＳ１０３）。なお、一時記録の処理を実行するための最適な制御条件は、第１の検知温度に基づいて決定される一時記録条件として、予めメモリー１１１に格納されている。メモリー１１１に格納されている制御条件が、必要に応じて、コントローラ１１２と回路１１３とに読み込まれる（ステップＳ１０３１）。【００７０】  次に、一時記録条件設定ステップ（ステップＳ１０３）で設定された一時記録条件に基づいて、一時記録ステップにおいて、領域１１５にデータの一時記録が行われる（ステップＳ１０４）。さらに、以後の処理へとステップが進む。以降の処理とは、例えば、代替記録モードのことである。【００７１】  また、一時記録領域判定ステップにおいて、領域１１５に空き領域がないと判定された場合（ステップＳ１０２のＮｏ）は、領域１１５に空き領域がなくなったことをユーザーに知らせるために第１の警告を発する（ステップＳ１０６）。第１の警告は、例えば、音や表示などの警告である。ステップＳ１０６が、第１の警告発令ステップである。【００７２】  次に、一時記録中止ステップにおいて、領域１１５へのデータの一時記録の中止が実行され、書き込み禁止処理が行われる（ステップＳ１０７）。【００７３】  上述した磁気記録再生装置のデータ記録方法により、一時記録領域１１５の状態をユーザーが把握できるとともに、データの一時記録を確実に制御することができる。【００７４】  なお、メモリー１１１に、領域１１６を設けてもよく、領域１１６を設けることにより、一時記録領域の拡大がはかれる。【００７５】  以上で述べたように、実施の形態１における磁気記録再生装置とデータの記録方法とによれば、温度などの環境条件に応じて、データの最適な記録が管理され、制御される。このことによって、低温環境下でもデータの記録品質の低下が防がれる。さらに、磁気記録再生装置１２１の性能を低下させることなく、使用温度範囲などの使用環境が拡大される。つまり、実施の形態１における磁気記録再生装置は、動作環境が大きく変化した、特に、低温環境下であ���ても、性能が安定して維持される。そして、低い製造コストで、かつ小型の磁気記録再生装置が実現される。また、携帯電話装置、携帯端末装置などの携帯型情報機器に内蔵もしくは接続されることが可能な、大容量メモリー機器として用いられる磁気記録再生装置が提供される。【００７６】  （実施の形態２）
本発明の実施の形態２における磁気記録再生装置について、以下説明する。実施の形態２における磁気記録再生装置は、上述の実施の形態１における磁気記録再生装置と比べて、磁気ディスク媒体と半導体メモリー回路とに設けられる一時記録領域の構成が異なる。さらに、一時記録領域の構成が異なることによって、データの一時記録と代替記録とのデータ記録方法が異なる。なお、実施の形態１で示した構成と同じ構成については、同じ符号を付し、詳細な説明は省略する。【００７７】  図１０は、実施の形態２における磁気記録再生装置の要部を示すブロック図である。【００７８】  実施の形態２における磁気記録再生装置と実施の形態１における磁気記録再生装置との違いについて説明する。【００７９】  図１０において、磁気ディスク媒体１２２（以下、媒体１２２と呼ぶ）には、通常記録領域１２７（以下、領域１２７と呼ぶ）が設けられている。また、必要に応じて、第１の一時記録領域１２５（以下、領域１２５と呼ぶ）が、領域１２７の任意の領域に設定される。さらに、必要に応じて、第２の一時記録領域１２６（以下、領域１２６と呼ぶ）が、半導体メモリー回路１１１に設定される。領域１２５と領域１２６とは、それぞれ、データを一時記録するための一時記録領域を構成する。【００８０】  その他の構成について、図１０に記載の磁気記録再生装置１２１と、図１に記載の磁気記録再生装置１２１とは、同様の構成を有している。【００８１】  次に、実施の形態２における磁気記録再生装置にデータを記録するデータ記録方法について説明する。【００８２】  データ記録方法についても、実施の形態２における磁気記録再生装置のデータ記録方法と実施の形態１における磁気記録再生装置のデータ記録方法との異なるステップについてのみ説明する。【００８３】  まず、実施の形態２における装置１２１のデータの一時記録方法は、図２に示したフローチャートに基づいて実行される。【００８４】  図２において、ステップＳ２１からステップＳ２３までは、実施の形態１と同様である。そして、ステップＳ２４の一時記録判定ステップにおいて、必要に応じて、領域１２５と領域１２６との両方またはいずれか一方が、媒体１０２または／およびメモリー１１１に設定される。さらに、一時記録判定ステップにおいて、第１の検知温度に基づいて、領域１２５または領域１２６に、新たなデータの一時記録を行うか、または、一時記録を行わないかが判定される。一時記録の可否の判定に使われる閾値情報は、メモリー１１１に予め格納されている。そして、ステップＳ２３１において、閾値情報が、ＣＰＵ１１０に読み込まれる。ここで、閾値情報は、例えば、予め設定された温度条件などの情報である。一時記録を行う閾値情報が温度条件の場合、温度条件は５℃以下が好ましい。しかしながら、温度条件が５℃以下ではデータの記録品質が低下する場合、温度条件は１０℃以下または１５℃以下でもよい。【００８５】  なお、以降の説明において、上述の実施の形態１の説明のうち、一時記録領域１１５が一時記録領域１２５へ読み替えられる。また、一時記録領域１１６が一時記録領域１２６へ、通常記録領域１１７が通常記録領域１２７へ、それぞれ、読み替えられる。【００８６】  さらに、実施の形態２における装置１２１の一時記録データの代替記録方法は、図３に示したフローチャートに基づいて実行される。なお、一時記録データの代替記録とは、データを一時記録領域１２５に記録した状態では、媒体１２２の記録できる容量が少なくなるため、予め決められた設定条件を満たす場合に、一時記録データが代替記録データとして領域１２７に記録しなおされることである。【００８７】  図３において、ステップＳ３１からステップＳ３４までは、実施の形態１と同様である。そして、ステップＳ３５の代替記録ステップにおいて、領域１２５または領域１２６に記録された一時記録データが、領域１２７に代替記録データとして代替記録される。代替記録データは、代替記録条件設定ステップにおいて設定された代替記録条件に基づいて、記録される。したがって、一時記録データが代替記録データとして代替記録されるときの各種制御条件は、一時記録されたときの各種制御条件と異なる。また、領域１２７の代替記録データが記録される領域は、一時記録データが記録されていた領域１２５と同じ領域であってもよい。つまり、代替記録されるときに、領域１２５が領域１２７に再設定される。【００８８】  また、代替記録判定ステップにおいて、代替記録の処理を行うと判定された場合、一時記録データは、一旦、コントローラ１１２やメモリー１１１などに読み込まれる。このことによって、再度、領域１２５の同じ領域に、データが代替記録されても問題はない。一時記録データが代替記録データとして記録されることによって、媒体１２２の記録可能な容量が回復する。【００８９】  次に、低温環境下でデータが一時記録される一時記録領域について、図１１Ａを用いて説明する。【００９０】  図１１Ａは、実施の形態２における磁気記録再生装置に用いられる磁気ディスク媒体の一例を示す平面図である。【００９１】  図１１Ａに示すように、磁気ディスク媒体２４６（以下、媒体２４６と呼ぶ）に通常記録領域２４８（以下、領域２４８と呼ぶ）が設けられている。領域２４８の一部に一時記録領域２４７（以下、領域２４７と呼ぶ）が、必要に応じて、設定される。領域２４７と領域２４８とは、当然のことながら、磁気特性やＨＤＩ（Ｈｅａｄ／Ｄｉｓｋ  Ｉｎｔｅｒｆａｃｅ）特性などは等しい。領域２４７と領域２４８とは共に、特別な物理的な処理を必要としない。なお、領域２４８の記録容量などの大きさは、装置１２１の仕様などによって定められる。また、領域２４７の記録容量などの大きさは、一時記録されるデータの容量に応じて定められる。したがって、領域２４７と領域２４８との大きさは、特に制限されない。【００９２】  図１１Ａにおいて、領域２４７が連続した円帯状の領域で示されている。しかしながら、領域２４７は円帯状の形状に限らない。例えば、扇状の領域に一時記録領域が設定されてもよい。また、図１１Ｂに示すように、磁気ディスク媒体２４６Ａ上に、一時記録領域２４７Ａが点在するような不連続な形状で設定されても良い。なお、磁気ディスク媒体２４６Ａ上に、通常記録領域２４８Ａも設けられている。【００９３】  また、低温環境下で一時記録領域に記録される一時記録データと、一時記録領域に一時記録される一時記録データの記録方法とは、図５Ａと図５Ｂとを用いた説明において、上述の実施の形態１の説明のうち、磁気ディスク媒体２４１が磁気ディスク媒体２４６へ読み替えられる。また、一時記録領域２４２が一時記録領域２４７へ、通常記録領域２４３が通常記録領域２４８へ、それぞれ、読み替えられる。【００９４】  また、図６と図７とを用いて説明した、一時記録データが記録される記録密度についても、実施の形態２における磁気記録再生装置１２１へ、同じく適用できる。また、同様にメモリー１１１は、一時記録条件テーブルを予め格納される。そして、第１の検知温度に基づいて決定される最適の一時記録条件によって、データの一時記録が行われる。【００９５】  さらに、低温環境下で、低い記録密度でデータが一時記録される一時記録領域について具体的に図１２を用いて説明する。【００９６】  図１２は、実施の形態２における磁気記録再生装置に用いることのできる磁気ディスク媒体を示す平面図である。【００９７】  図１２に示すように、一時記録領域２６７（以下、領域２６７と呼ぶ）が、可能な限り、磁気ディスク媒体２６６（以下、媒体２６６と呼ぶ）の外周部近傍に設定される。領域２６７が媒体２６６の外周部近傍に設定されると、ヘッド１０１と媒体２６６との相対速度が上がる。このことによって、記録データレートを低下させずに、媒体２６６の円周方向の記録密度が低い記録密度の条件で一時記録データが記録される。その結果、装置１２１の記録再生などの性能を維持しながら、高品位なデータ記録ができる。なお、通常記録領域２６８には、通常条件下でデータが記録される。【００９８】  なお、領域２６７は、固定的に設けられるものではない。通常のデータを通常記録データとして記録されるときには、領域２６８として扱われる。一時記録データは、一時記録データが記録される論理アドレスや履歴などの付加情報が、データに付加されて、領域２６７に記録される。また、記録された論理アドレスや履歴などの付加情報に基づいて、コントローラ１１２によって、一時記録データが管理され制御される。したがって、領域２６７が固定的に設けられず、媒体２６６の任意の領域に、必要に応じて領域２６７が設定されても、一時記録データとして管理される。なお、付加情報は、メモリー１１１に記憶されてもよい。【００９９】  次に、実施の形態２における磁気記録再生装置のデータ記録方法の変形例について、図１３を用いて説明する。なお、図１３で示す、データ記録方法は、一時記録データに付加される識別符号の付加方法に関する。【０１００】  図１３は、実施の形態２における磁気記録再生装置の変形例である識別符号の付加の処理の概略を示すフローチャートである。【０１０１】  まず、データの一時記録の開始がＣＰＵ１１０から命令される（ステップＳ４１）。つまり、一時記録モードが設定される。一時記録モードが設定されると、一時記録条件設定ステップにおいて、一時記録条件が、コントローラ１１２と回路１１３とに設定される（ステップＳ４２）。つまり、第１の検知温度に応じて、最適な各種制御条件が設定される。なお、一時記録の処理を実行するための制御条件は、第１の検知温度に基づいて決定される一時記録条��として、予めメモリー回路１１１に格納されている。メモリー１１１に格納されている一時記録条件が、コントローラ１１２と回路１１３とに読み込まれる（ステップＳ４２１）。ここで、一時記録条件は、例えば、記録電流や記録データレートなどの制御条件である。【０１０２】  次に、識別符号付加ステップにおいて、一時記録されるデータが、一時記録データであると識別できるように、一時記録データに識別符号が付加される（ステップＳ４３）。ここで、識別符号は、例えば、アドレス情報、一定周期の繰り返しデータ列、特定のデータパターンなどが用いられる。【０１０３】  次に、一時記録条件設定ステップにおいて設定された一時記録条件に基づいて、一時記録ステップにおいて、領域１２５または領域１２６に、識別符号を付加されたデータの一時記録が行なわれる（ステップＳ４４）。なお、領域１２６は、領域１２５へのデータの一時記録に先立って、データが一時記録される。したがって、領域１２６は、必ずしも必要ではない。しかしながら、領域１２６へは、データを高速に一時記録する場合などに有効である。また、領域１２５と領域１２６とに一時記録されるデータは、一時記録データとして記録される。【０１０４】  次に、識別符号記録ステップにおいて、一時記録データの識別符号がメモリー１１１に記録される（ステップＳ４５１）。そして、識別符号記録ステップにおいて、一時記録データの管理が行なわれる（ステップＳ４５）。なお、データが領域１２６へ一時記録される場合、データと識別符号とが同時に記録されてもよい。データと識別符号とがメモリー１１１へ記録される場合、データは領域１２６へ記録され、識別符号は、メモリー１１１の領域１２６以外の領域に記録される。【０１０５】  そして、上記に示した一連のステップを経て、一時記録終了ステップによって、データの一時記録が終了する（ステップＳ４６）。【０１０６】  以上のように、一時記録データには、識別符号が付加される。その結果、通常の記録条件で記録された通常記録データと区別される。そして、一時記録データの代替記録時の制御と一時記録データの管理などとが、識別符号を用いて確実に実行されてもよい。【０１０７】  上述のように、実施の形態２における磁気記録再生装置とデータの記録方法とは、環境温度に応じた最適なデータの記録が管理され、制御される。このことによって、低温環境下で記録される一時記録データの記録品質が低下しない。その結果、磁気記録再生装置の性能が低下することがない。さらに、磁気記録再生装置の使用環境（例えば、使用温度範囲など）が拡大される。【０１０８】  なお、ステップＳ２４の一時記録判定ステップにおいて、領域１２５と領域１２６との両方またはいずれか一方が設定される処理について説明した。しかしながら、領域１２５、１２６は、必ずしも、一時記録判定ステップにおいて設定されなくともよい。実際に、領域１２５または領域１２６に一時記録データが一時記録される一時記録ステップまでの間に設定されればよい。【０１０９】  （実施の形態３）
本発明の実施の形態３における磁気記録再生装置について、以下説明する。実施の形態３で示す磁気記録再生装置は、実施の形態１と実施の形態２とで示した磁気記録再生装置と比べ、低温環境下での一時記録時のデータ記録方法が異なる。なお、実施の形態１、２で示した構成と同じ構成については、同じ符号を付し、詳細な説明は省略する。【０１１０】  図１４Ａと図１４Ｂとは、実施の形態３における磁気記録再生装置に用いられる磁気ディスク媒体に記録されるデータの記録トラックを示す模式図である。図１４Ａは、磁気記録再生装置が常温動作時の、磁気ディスク媒体に記録される通常記録データの記録トラックの一例を示す模式図である。また、図１４Ｂは、磁気記録再生装置が低温動作時の、磁気ディスク媒体に記録される一時記録データの記録トラックの一例を示す模式図である。【０１１１】  図１４Ａにおいて、磁気記録再生装置が常温動作をする場合、記録トラックピッチＴｐ１（以下、ピッチＴｐ１と呼ぶ）の条件でデータが記録される。ピッチＴｐ１の条件でデータが記録される場合、記録トラック２７１間の第１のガードバンド部２７２（以下、バンド２７２と呼ぶ）は非常に狭い。このことによって、高い記録密度でデータが記録される。【０１１２】  これに対して、図１４Ｂに示すように、低温環境下で一時記録データの一時記録が行われる場合、記録トラックピッチが、ピッチＴｐ１から記録トラックピッチＴｐ２（以下、ピッチＴｐ２と呼ぶ）へと拡げられて記録される。その結果、記録トラック２７１の密度が下げられ、低い記録密度でデータが記録される。低い記録密度でデータが記録される場合、第２のガードバンド部２７３（以下、バンド２７３と呼ぶ）が拡げられる。【０１１３】  例えば、低温環境下でのデータ記録において、記録トラック密度が低いトラック密度で記録される。例えば、ピッチＴｐ２が、常温動作時に記録される通常のピッチＴｐ１の２倍でデータを記録するように制御されれば、記録トラック２７１の位置決め精度やバンド２７３が大きくできる。このことは、データの記録品質の向上の点からも望ましい。通常のピッチＴｐ１の２倍とは、すなわち１記録トラックおきにデータを記録するように制御することに等しい。【０１１４】  なお、温度と許容記録密度との間には、上述のように、温度が下がれば下がるほど、許容記録密度が低下する傾向にある。そして、温度とＮ記録トラックおきに記録する記録条件とが、一時記録条件テーブルとして、予めメモリー１１１に格納されている（Ｎは、０以上の整数）。このことによって、第１の検知温度に基づいて、データが何記録トラックおきに記録されればよいかが、一時記録条件テーブルから選択される。そして、選択された一時記録条件によって、データが記録される。言い換えれば、一時記録条件が初期のデータ記録条件に比べ、記録トラック密度の低い記録条件であるといえる。また、一時記録条件は、例えば、１記録トラックおき、または、２記録トラックおきなどのピッチで記録する記録条件としてもよい。【０１１５】  このように、第１の検知温度に基づいて決定される一時記録条件で一時記録されることによって、一時記録領域１１５の消費が、可能な限り抑制される。つまり、領域１１５が効率的に使用される。その結果、磁気記録再生装置１２１が記録可能な一時記録データの容量が増大する。つまり、記憶容量の効率的利用が可能な磁気記録再生装置１２１が実現される。【０１１６】  次に、低温環境下において、低い記録密度でデータを記録する理由について説明する。【０１１７】  図１５は、磁気記録再生装置内の温度と記録再生信号のＳＮＲとの関係を示す特性図である。図１５において、丸印でプロットした特性曲線２８１は、１記録トラック２７１おきにデータを記録した場合のＳＮＲである。つまり、特性曲線２８１は、隣接する記録トラック２７１に記録しない場合を示し、図１４Ｂの状態に相当する。また、三角印でプロットした特性曲線２８２は、隣接する記録トラック２７１ごとにデータを記録する場合のＳＮＲを示し、図１４Ａの状態に相当する。【０１１８】  図１５からわかるように、特性曲線２８１は、磁気記録再生装置内の温度にかかわらず、特性曲線２８２に比べて、常に、高いＳＮＲを示す。【０１１９】  一般に、磁気記録再生装置の記録容量を確保する点から、極力、隣接する記録トラックにもデータが記録される。データ記録時の磁気ヘッドのフリンジ磁界による影響や、信号の再生時の隣接記録トラック間のクロストークにより、記録再生信号のＳＮＲが低下することがある。【０１２０】  そこで、実施の形態３における磁気記録再生装置では、データの一時記録時に、記録トラックピッチが拡げられて（例えば、隣接する記録トラックには記録しない）記録が行われる。【０１２１】  その結果、上述した理由により一時記録されるデータのＳＮＲが向上する。そして、図１５に示すように、低温環境下でのＳＮＲにマージン２８３が生じる。ここで、マージン２８３は、特性曲線２８１や特性曲線２８２で示されるＳＮＲと許容ＳＮＲ２８４との差である。【０１２２】  したがって、環境温度が下がった場合でも、記録トラックピッチを拡げてデータが一時記録されることにより、必要とされる許容ＳＮＲ２８４（例えば、図１５に示される２２ｄＢ線）を上回るＳＮＲ（例えば、特性曲線２８１）が得られる。つまり、記録トラックピッチを拡げたデータの一時記録は、許容できる温度範囲が拡大される。このことにより、一時記録データの記録品質は、実用上問題にならない。さらに、一時記録データが、通常の記録密度で通常記録領域に代替記録される場合、データの記録品質が影響を受けない。【０１２３】  上述のように、実施の形態３における磁気記録再生装置とデータの記録方法とにおいても、環境温度に応じて最適な記録動作が管理され、制御される。このことによって、低温環境でもデータの記録品質が低下しない。このため、磁気記録再生装置の性能が低下することなく、使用環境（例えば、使用温度範囲など）が拡大される。さらに、一時記録領域が効率的に利用される。このことによって、低温環境下においても、記憶容量の大きな磁気記録再生装置が実現される。【０１２４】  （実施の形態４）
本発明の実施の形態４における磁気記録再生装置について説明する。実施の形態４では、磁気ディスク媒体が高い回転数の条件でデータが記録されることによって、一時記録データの記録密度の低い条件で記録される。なお、実施の形態１から実施の形態３で示した構成と同じ構成については、同じ符号を付し、詳細な説明は省略する。【０１２５】  図１６は、実施の形態４における磁気記録再生装置のデータの一時記録の処理の概略を示すフローチャートである。以下、一時記録データの記録方法が、実施の形態１における磁気記録再生装置に適用された場合を想定して説明する。【０１２６】  まず、データの一時記録の開始がＣＰＵから命令される（ステップＳ８１）。つまり、一時記録モードが設定される。一時記録モードが設定されると、記録条件変更ステップにおいて、磁気ディスク媒体１０２の回転数が変更される（ステップＳ８２）。変更される媒体１０２の回転数は、媒体１０２に一時記録されるデータの記録密度と、一時記録領域１１５の位置（半径）と記録データレートとの関係によって決められる。【０１２７】  次に、一時記録条件設定ステップにおいて、領域１１５にデータを一時記録するための一時記録条件（例えば、記録電流や記録レートなど）が設定される（ステップＳ８３）。一時記録条件は、予め半導体メモリー回路１１１に格納され、メモリー１１１からコントローラ１１２に読み込まれる（ステップＳ８３１）。【０１２８】  次に、一時記録ステップにおいて、領域１１５に一時記録データが一時記録される（ステップＳ８４）。【０１２９】  さらに、一時記録終了ステップにおいて、一時記録データの記録が終了される（ステップＳ８５）。【０１３０】  つまり、一時記録データは、常温環境下で同じ記録トラック位置に通常記録される場合と比べ、媒体１０２の円周方向の記録密度が低い記録密度で一時記録データが記録される。その結果、実施の形態３と同様に、許容ＳＮＲ２８４を上回るＳＮＲが得られる。その結果、許容される温度範囲が拡大される。このことによって、一時記録データの記録品質は、実用上問題とならない。さらに、一時記録データが、通常の記録密度で通常記録領域１１６に代替記録される場合、データの記録品質が影響を受けない。【０１３１】  以下、低温環境下で、記録密度を下げて一時記録データが記録される一時記録領域について具体的に説明する。【０１３２】  図１７は、実施の形態４における磁気記録再生装置に用いられる磁気ディスク媒体を模式的に示す平面図である。磁気ディスク媒体２９１（以下、媒体２９１と呼ぶ）は、一時記録領域２９２（以下、領域２９２と呼ぶ）と通常記録領域２９３（以下、領域２９３と呼ぶ）とを有する。【０１３３】  また、媒体２９１は、媒体２９１の回転数が高い状態で一時記録される場合に用いられる磁気ディスク媒体である。したがって、磁気ヘッド１０１と媒体２９１との相対速度が高い状態で一時記録される。このことによって、一時記録データの記録密度を下げられ、低い記録密度で一時記録される。【０１３４】  つまり、ヘッド１０１と媒体２９１との相対速度が高くなることによって、媒体２９１上の同じ記録トラック位置に、同じ記録データレートで記録した場合、相対���度が高くなった割合だけ、媒体２９１の円周方向の記録密度が下がる。したがって、常温環境下で通常記録される場合と比べ、相対速度の高くなった割合だけ、媒体２９１の円周方向の記録密度が低い記録密度となる。【０１３５】  つまり、ヘッド１０１と媒体２９１との相対速度を変えることにより、環境温度に応じて許容されるバイトエラーレートの条件になるまで、記録密度を下げてデータが一時記録されれば、記録された一時記録データの記録品質は実用上問題とならない。【０１３６】  さらに、領域２９２が可能な限り、媒体２９１の内周部近傍に配置されていれば、ヘッド１０１と媒体２９１との相対速度が高く設定された場合でも、記録データレートを必要以上に高めることが要求されない。そのため、一時記録データの記録品質と装置１２１の性能との両方が維持される。なお、通常記録データは、図１７に示した領域２９３に通常の記録条件で記録される。【０１３７】  以上、実施の形態４における磁気記録再生装置とそのデータの記録方法について、実施の形態１における磁気記録再生装置に適用した場合について説明した。しかしながら、実施の形態４における磁気記録再生装置とそのデータの記録方法は、実施の形態２における磁気記録再生装置にも適用可能である。その場合、一時記録データは、識別符号が付加されるか、または、一時記録データの論理アドレスが磁気ディスク媒体１２２に記録される。このことによって、一時記録データが容易に検索され、代替記録の高速化などが実現される。【０１３８】  上述のように、実施の形態４における磁気記録再生装置とデータの記録方法は、環境温度に応じて最適なデータの記録が管理され、制御される。このことによって、低温環境下で記録された一時記録データの記録品質が低下しない。その結果、磁気記録再生装置の性能が低下することなく、使用環境（例えば、使用温度範囲など）が拡大される。【０１３９】  （実施の形態５）
本発明の実施の形態５における磁気記録再生装置について、以下説明する。本発明に実施の形態５における磁気記録再生装置は、データを一時記録するための一時記録領域が磁気ディスク媒体と半導体メモリー回路との両方に設けられている。以下、図を用いて磁気記録再生装置について説明する。なお、実施の形態１、から実施の形態４で示した構成と同じ構成については、同じ符号を付し、詳細な説明は省略する。【０１４０】  図１８は、実施の形態５における磁気記録再生装置の要部を示すブロック図である。【０１４１】  図１８において、実施の形態５における磁気記録再生装置３２１（以下、装置３２１と呼ぶ）は、データを一時記録するための一時記録領域が、磁気ディスク媒体１３２の第１の一時記録領域１３５と、半導体メモリー回路１１１の第２の一時記録領域１３６と、の両方に予め設けられている。また、磁気ディスク媒体１３２に、通常記録領域１３７が設けられている。【０１４２】  そして、領域１３５と領域１３６とへの一時記録データの記録手順と記録条件、一時記録データのアドレスや履歴などの情報は、ファームウェアとＣＰＵ１１０とコントローラ１１２とによって管理され、制御される。ファームウェアはメモリー１１１に予め格納されている。【０１４３】  領域１３５と領域１３６との両方に一時記録領域が設けられているため、一時記録領域が拡大される。【０１４４】  以下に、図１９を用いて、実施の形態５における磁気記録再生装置が一時記録領域へデータを一時記録するデータ記録方法について説明する。【０１４５】  図１９は、実施の形態５における磁気記録再生装置の一時記録領域へのデータ記録方法の概略を示すフローチャートである。【０１４６】  まず、一時記録の開始がＣＰＵ１１０から命令される（ステップＳ１２１）。つまり、一時記録モードが設定される。一時記録モードが設定されると、第２の空き領域判定ステップにおいて、領域１３６に空き領域があるかどうかの判定が行われる（ステップＳ１２２）。【０１４７】  第２の空き領域判定ステップにおいて、領域１３６に空き領域があると判定された場合（ステップＳ１２２のＹｅｓ）には、第２の一時記録ステップにおいて、領域１３６にデータが一時記録データとして一時記録される（ステップＳ１２３）。【０１４８】  そして、第２の一時記録終了ステップにおいて、データの一時記録が終了される（ステップＳ１２４）。【０１４９】  また、第２の空き領域判定ステップにおいて、領域１３６に空き領域がないと判定された場合（ステップＳ１２２のＮｏ）には、ステップＳ１２５へ進む。そして、一時記録条件設定ステップにおいて、領域１３５にデータを一時記録するための一時記録条件の設定が行われる（ステップＳ１２５）。さらに、一時記録ステップにおいて、領域１３５にデータが一時記録データとして記録される（ステップＳ１２６）。【０１５０】  そして、一時記録終了ステップにおいて、領域１３５への一時記録が終了される（ステップＳ１２７）。【０１５１】  なお、一時記録ステップは、第２の一時記録ステップを含んだステップであると考えてもよい。また、一時記録ステップは、第２の空き領域判定ステップと第２の一時記録ステップと第２の一時記録終了ステップとを含んだステップであると考えてもよい。【０１５２】  上述したように、装置３２１は、データを一時記録するための一時記録領域が領域１３５と領域１３６との両方に設けられた構成である。そして、領域１３５と領域１３６とにランダムに、一時記録データが一時記録されるのではない。制御回路１１２またはＣＰＵ１１０が、一時記録データが領域１３６と領域１３５とに順次記録されるように制御する。その結果、一時記録データの管理と、その後の代替記録時のデータの制御が容易になる。さらに、一時記録領域が拡大され、装置３２１の使用安定性が高まる。【０１５３】  また、以下、一時記録領域の空き領域の管理と書き込み禁止処理とについて説明する。【０１５４】  図２０は、実施の形態５における磁気記録再生装置の一時記録領域に空き領域がなくなった場合の書き込み禁止処理の概略を示すフローチャートである。【０１５５】  まず、一時記録の開始がＣＰＵから命令される（ステップＳ１３１）。つまり、一時記録モードが設定される。一時記録モードが設定されると、第２の空き領域判定ステップにおいて、領域１３６に空き領域があるかどうかが判定される（ステップＳ１３２）。【０１５６】  第２の空き領域判定ステップにおいて、領域１３６に空き領域があると判定された場合（ステップＳ１３２のＹｅｓ）、第２の一時記録ステップにおいて、領域１３６にデータが一時記録データとして一時記録される（ステップＳ１３３）。さらに、第２の一時記録ステップの後、以降の処理へ進む。以降の処理とは、例えば、代替記録ステップである。【０１５７】  また、第２の空き領域判定ステップにおいて、領域１３６に空き領域がないと判定された場合（ステップＳ１３２のＮｏ）、第２の警告発令ステップにおいて、第２の警告を発する（ステップＳ１３５）。第２の警告は、領域１３６に空き領域がなくなったことを示すために、ユーザーに対して発せられる警告である。第２の警告は、例えば、音声や表示などの警告である。【０１５８】  次に、第１の空き領域判定ステップにおいて、領域１３５に空き領域があるかどうかの判定が行われる（ステップＳ１３６）。【０１５９】  そして、第１の空き領域判定ステップにおいて、領域１３５に空き領域があると判定された場合（ステップＳ１３６のＹｅｓ）、一時記録ステップにおいて、領域１３５にデータが一時記録データとして一時記録される（ステップＳ１３７）。一時記録ステップにおいて、データが一時記録された後、以降の処理へ進む。以降の処理とは、例えば、代替記録ステップである。また、一時記録ステップに先立って、一時記録条件設定ステップが実行されても良い。【０１６０】  また、第１の空き領域判定ステップにおいて、領域１３５に空き領域がないと判定された場合（ステップＳ１３６のＮｏ）、第１の警告発令ステップにおいて、第１の警告を発する（ステップＳ１３８）。第１の警告は、領域１３５に空き領域がなくなったことを示すために、ユーザーに対して発せられる警告である。第１の警告は、例えば、音声や表示などの警告である。【０１６１】  第１の警告発令ステップの後、さらに、一時記録中止ステップにおいて、データの一時記録の中止と書き込み禁止処理が実行���れる（ステップＳ１３９）。【０１６２】  上記のデータ記録方法により、データが一時記録される一時記録領域１３５、１３６の状態が容易に把握される。さらに、データが一時記録される時の制御が確実に行われる。【０１６３】  上述のように、実施の形態５における磁気記録再生装置とデータの記録方法とは、環境温度に応じた最適なデータの記録の管理と制御とが行われる。このことによって、低温環境下でもデータの記録品質が低下しない。このため磁気記録再生装置の性能が低下することなく、磁気記録再生装置の使用環境（例えば、使用温度範囲など）が拡大される。【０１６４】  （実施の形態６）
本発明の実施の形態６における磁気記録再生装置について、以下説明する。本発明に実施の形態６における磁気記録再生装置は、上述の実施の形態１と実施の形態２とにおける磁気記録再生装置と比べて、図１または図１０とで示す装置１２１の構成と、同様の構成を有する。また、磁気記録再生装置のデータを記録するデータ記録方法が異なるので、図２１を用いて説明する。なお、実施の形態１から実施の形態５で示した構成と同じ構成については、同じ符号を付し、詳細な説明は省略する。また、実施の形態６における磁気記録再生装置のデータ記録方法は、実施の形態１と実施の形態２とおける磁気記録再生装置に適用できる。そこで、以下、実施の形態１における磁気記録再生装置に適用された場合を想定して説明する。【０１６５】  図２１は、実施の形態６における磁気記録再生装置にデータを一時記録する処理の概略を示すフローチャートである。また、図２１のフローチャートは、図２のフローチャートで示したステップと同じステップについては、同じ符号を付し、詳細な説明は省略する。【０１６６】  図２１において、ステップＳ２４の一時記録判定ステップまでは、図２を用いて説明した処理と同様である。【０１６７】  一時記録判定ステップにおいて、一時記録の処理を行うと判定された場合（ステップＳ２４のＹｅｓ）、一時記録モードが設定され、ステップＳ２４１へと進む。【０１６８】  ステップＳ２４１は、新たなデータを一時記録するための一時記録領域１１５が媒体１０２に設定される。また、必要に応じて、新たなデータを一時記録するための一時記録領域１１６がメモリー１１１に設定される。ステップＳ２４１は、一時領域設定ステップである。【０１６９】  ステップＳ２４１以降は、図２で説明した処理と同様である。また、一時記録判定ステップにおいて、一時記録の処理を行わないと判定された場合（ステップＳ２４のＮｏ）、ステップＳ２８へと進み、図２で説明した処理と同様である。【０１７０】  図２２は、実施の形態６における磁気記録再生装置の一時記録データを自動的に代替記録する処理の概略を示すフローチャートである。また、図２２のフローチャートは、図３のフローチャートで示したステップと同じステップについては、同じ符号を付し、詳細な説明は省略する。【０１７１】  図２２において、まず、予め設定されたタイミングで自動的に代替記録の開始がＣＰＵ１１０から命令される（ステップＳ３１１）。つまり、自動的に代替記録モードが設定される。代替記録モードが設定されると、一時記録データ判定ステップにおいて、領域１１５または領域１１６に記録された、代替記録すべき一時記録データがあるかどうかを判定される（ステップＳ３１２）。なお、予め設定されたタイミングは、例えば、装置１２１が搭載されるホスト機器１２０に電源が投入されたタイミングである。また、予め設定されたタイミングは、例えば、ホスト機器１２０の充電動作が行われるタイミングである。さらに、予め設定されたタイミングは、例えば、定期的な時間のタイミングや、自動的にＣＰＵ１１０から出される種々の命令が監視され、ある特定の実行命令が出力されるタイミングである。【０１７２】  そして、一時記録データ判定ステップにお��て、代替記録すべき一時記録データがないと判定された場合（ステップＳ３１２のＮｏ）、代替記録終了ステップにおいて、代替記録の処理が終了される（ステップＳ３１３）。【０１７３】  また、一時記録データ判定ステップにおいて、領域１１５または領域１１６に記録された、代替記録すべき一時記録データがあると判定された場合（ステップＳ３１２のＹｅｓ）、第２の温度検知ステップへと進む（ステップＳ３２）。第２の温度検知ステップのあとは、代替記録判定ステップ（ステップＳ３３）へと進む。【０１７４】  次に、代替記録判定ステップにおいて、第２の検知温度に基づいて、一時記録データの代替記録を行うかどうか、が判定される（ステップＳ３３）。【０１７５】  代替記録判定ステップにおいて、一時記録データの代替記録を行うと判定された場合（ステップＳ３３のＹｅｓ）、代替記録領域設定ステップにおいて、代替記録するための領域が、通常記録領域１１７の任意の領域に設定される（ステップＳ３３１）。【０１７６】  代替記録領域設定ステップ（ステップＳ３３１）以降は、図３で説明した処理と同様である。そして、代替記録領域設定ステップにおいて設定された領域に、データが代替記録される。【０１７７】  また、代替記録判定ステップにおいて、代替記録を行わないと判定された場合（ステップＳ３３のＮｏ）、ステップＳ３７１へと進み、一時記録データの代替記録が一時中止される（ステップ３４１）。その後は、上述の、予め設定されたタイミングで、自動的に設定される代替記録モード設定の命令が監視される。【０１７８】  実施の形態６における磁気記録再生装置とそのデータ記録方法は、環境温度に応じた最適な記録動作が制御され、管理される。このことによって、低温環境下でも一時記録データの記録品質が低下しない。その結果、磁気記録再生装置の性能が低下することなく、磁気記録再生装置の使用環境（例えば、使用温度範囲など）が拡大される。【０１７９】  さらに、磁気記録再生装置のデータ記録方法は、従来から使用されてきた磁気ディスク媒体や磁気ヘッドなどを用いた磁気記録再生装置にも適用できる。さらにまた、低温環境下での記録動作のために、複数の磁気ディスク媒体を用いる必要がない。したがって、磁気記録再生装置の小型化と低コスト化との点においても優れている。【０１８０】  次に、上述した、ホスト機器１２０の充電動作中に自動的に代替記録を行うデータ記録方法について説明する。【０１８１】  図２３は、実施の形態６における磁気記録再生装置の一時記録データの自動代替記録の処理の概略を示すフローチャートである。【０１８２】  まず、代替記録の開始がＣＰＵ１１０から命令される（ステップＳ６１）。つまり、自動的に代替記録モードが設定される。代替記録モードが設定されると、磁気記録再生装置１２１に内蔵あるいは接続されているホスト機器１２０が充電期間（動作）中であるかどうかが確認される（ステップＳ６２）。【０１８３】  次に、ホスト機器１２０が充電期間（動作）中でない場合（ステップＳ６２のＮｏ）は、自動代替記録の処理が中止される（ステップＳ６４）。そして、以降、予め決められた設定タイミングで、代替記録モード設定の命令が監視される。【０１８４���  また、ホスト機器が充電期間（動作）中の場合（ステップＳ６２のＹｅｓ）は、一時記録データ判定ステップにおいて、領域１１５または領域１１６に代替記録すべき一時記録データがあるかが判定される（ステップＳ６３）。【０１８５】  そして、一時記録領域に代替記録すべき一時記録されたデータがない場合（ステップＳ６３のＮｏ）は、自動代替記録の処理が終了される（ステップＳ６５）。【０１８６】  一時記録データ判定ステップにおいて、代替記録すべき一時記録データがあると判定された場合（ステップＳ６２のＹｅｓ）は、以降の処理に移り、自動代替記録の処理が実行される。以降の処理とは、例えば、図２２で示した、ステップＳ３２以降の処理である。【０１８７】  以上のように、一時記録データの自動代替記録がホスト機器１２０の充電期間（動作）中のタイミングで行なわれることのよって、ユーザーが装置１２１を使用していないときに自動的に代替記録が行われる。したがって、装置１２１の操作性と利便性とが向上する。【０１８８】  次に、必要に応じて実行される代替記録されたデータのベリファイ動作について説明する。【０１８９】  図２４は、実施の形態６における磁気記録再生装置の代替記録されたデータのベリファイ動作の処理の概略を示すフローチャートである。【０１９０】  図２４において、代替記録データのベリファイ動作の開始が命令される（ステップＳ５１）。すると、データベリファイステップにおいて、代替記録データと一時記録データとのベリファイ処理が実行される（ステップＳ５２）。【０１９１】  次に、データベリファイ判定ステップにおいて、代替記録データと一時記録データとのベリファイ動作の結果が、正常（ＯＫ）かどうかが判定される（ステップＳ５３）。【０１９２】  そして、ベリファイ動作の結果が正常（ステップＳ５３のＹｅｓ）であると判定された場合は、ベリファイ済みの一時記録データが領域１１５、１１６から削除される（ステップＳ５４）。さらに、データのベリファイ動作が終了される（ステップＳ５５）。【０１９３】  また、データベリファイ判定ステップにおいて、代替記録データと一時記録データとのベリファイ動作の結果が異常（ＮＧ）と判定された場合（ステップＳ５３のＮｏ）、ベリファイ異常発令ステップ（ステップＳ５６）へ進む。ベリファイ異常発令ステップにおいて、ベリファイ異常の警告が発せられる。ベリファイ異常の警告は、データのベリファイ動作の結果が異常であることをユーザーに知らせる警告である。データのベリファイ動作の結果が異常であることは、代替記録データと一時記録データとの少なくともいずれかに異常があることを意味する。ベリファイ異常の警告は、例えば、音や表示などの警告である。ベリファイ異常発令ステップに続き、代替記録モードが設定され、代替記録の処理に移行し、再度、代替記録が実行される（ステップＳ５７）。【０１９４】  また、ステップＳ５４において、ベリファイ済みの一時記録データが削除される場合、ＤＣイレースステップにおいて、ＤＣイレース（直流消去）されることが望ましい。ＤＣイレースステップは、データベリファイステップと同時か、または、データベリファイステップの後に実行されるとよい。つまり、ＤＣイレースステップは、削除されるべき一時記録データが記録されていた領域１１５の、ベリファイ動作が完了した後に実行されればよい。【０１９５】  以上のように、代替記録ステップと同時、または、代替記録ステップの後に、常にベリファイ動作が行なわれることによって、代替記録データの誤りを防止できる。その結果、装置１２１に記録されるデータの信頼性が向上する。【０１９６】  また、データベリファイステップの完了後に、一時記録データが保存されていた領域１１５がＤＣイレースされる。そして、以前に保存されていたデータが完全に消去される。このことによって、次の代替記録のタイミングで、領域１１５の同じ領域にデータが記録される場合に、以前に記録されていたデータの状態（履歴）にかかわらず、領域１１５の磁化状態が常に一定に保たれる。その結果、次に記録される一時記録データの記録品質がさらに高まる。【０１９７】  以上のように、実施の形態６における磁気記録再生装置は、使用環境（例えば、使用温度など）が大きく変化し、特に低温環境になった場合でも、信頼性の高い磁気記録再生が行われる。さらに、製造コストと装置の小型化との点においても優れた磁気記録再生装置が実現される。その結果、磁気記録再生装置は、携帯電話などの携帯型情報機器に内蔵または接続される大容量のメモリー機器へ、用途が拡大される。【０１９８】  以上、実施の形態６における磁気記録再生装置とそのデータの記録方法について、実施の形態１における磁気記録再生装置に適用した場合について説明した。しかしながら、実施の形態６における磁気記録再生装置とそのデータの記録方法は、実施の形態２における磁気記録再生装置にも適用可能である。その場合、一時記録データは、識別符号が付加されるか、または、一時記録データの論理アドレスが磁気ディスク媒体１２２に記録される。このことによって、一時記録データが容易に検索され、代替記録の高速化などが実現される。【０１９９】  また、一時記録領域１１５、１１６が、それぞれ、予め設定されていてもよいし、一時領域設定ステップにおいて、一時記録領域１２５、１２６が設定されてもよい。また、一時領域設定ステップの実行される前に、一時記録領域１２５、１２６設定されていてもよい。【０２００】  また、実施の形態１から実施の形態６において、各種制御条件の設定、データの管理、各種制御、温度検知などが、それぞれ、回路１０６、１１３、１１４、ＣＰＵ１１０、メモリー１１１、コントローラ１１２などで分担された構成を説明した。しかしながら、それらの機能を、例えば、制御回路であるコントローラ１１２が全て有する構成であってもよい。また、さらに細かく細分されてもよい。
【産業上の利用可能性】
【０２０１】  本発明に係る磁気記録再生装置とデータ記録方法とは、磁気記録再生装置の動作温度範囲を大幅に拡大される。その結果、これらは、携帯電話、携帯端末などのいわゆる携帯型情報機器に、内蔵あるいは接続されることを目的とした小型の磁気記録再生装置として有用である。また、これらは、大容量メモリーを求められるディジタルカメラ、ディジタルビデオなどの電子機器の用途にも応用される。
【図１】
2006068035.tif 000002
【図２】
2006068035.tif 000003
【図３】
2006068035.tif 000004
【図４Ａ】
2006068035.tif 000005
【図４Ｂ】
2006068035.tif 000006
【図５Ａ】
2006068035.tif 000007
【図５Ｂ】
2006068035.tif 000008
【図６】
2006068035.tif 000009
【図７】
2006068035.tif 000010
【図８】
2006068035.tif 000011
【図９】
2006068035.tif 000012
【図１０】
2006068035.tif 000013
【図１１Ａ】
2006068035.tif 000014
【図１１Ｂ】
2006068035.tif 000015
【図１２】
2006068035.tif 000016
【図１３】
2006068035.tif 000017
【図１４Ａ】
2006068035.tif 000018
【図１４Ｂ】
2006068035.tif 000019
【図１５】
2006068035.tif 000020
【図１６】
2006068035.tif 000021
【図１７】
2006068035.tif 000022
【図１８】
2006068035.tif 000023
【図１９】
2006068035.tif 000024
【図２０】
2006068035.tif 000025
【図２１】
2006068035.tif 000026
【図２２】
2006068035.tif 000027
【図２３】
2006068035.tif 000028
【図２４】
2006068035.tif 000029
【図２５】
2006068035.tif 000030
【手続補正書】
【提出日】平成18年4月21日(2006.4.21)
【手続補正１】
【補正対象書類名】特許請求の範囲
【補正対象項目名】請求の範囲
【補正方法】変更
【補正の内容】
【書類名】請求の範囲
【請求項１】（補正後）第１の一時記録領域と前記第１の一時記録領域上は異なる領域に形成された通常記録領域とが予め設けられた磁気ディスク媒体と、
前記磁気ディスク媒体に対してデータの記録再生を行う磁気ヘッドと、
前記磁気ディスク媒体を回転させるスピンドルモータと、
前記磁気ディスク媒体に対するデータの記録再生の制御を行う制御回路と、
周囲温度を検知するための温度検知回路と、
半導体メモリー回路と、を備え、
前記制御回路は、
前記温度検知回路で検知された検知温度が設定温度以下の場合、前記データを前記第１の一時記録領域に一時記録データとして、前記検知温度に応じた一時記録条件で一時記録し、
その後、前記検知温度が設定温度以上になった場合、前記一時記録データを前記通常記録領域に代替記録する、
磁気記録再生装置。
【請求項２】（補正後）前記検知温度と前記検知温度に基づいて決定される一時記録条件との関係を表す一時記録条件テーブルを、さらに備え、
前記制御回路は、
前記検知温度が設定温度以下の場合、前記データを、前記一時記録条件テーブルから選択される一時記録条件によって一時記録する、
請求項１に記載の磁気記録再生装置。
【請求項３】（補正後）記録領域が設けられた磁気ディスク媒体と、
前記磁気ディスク媒体に対してデータの記録再生を行う磁気ヘッドと、
前記磁気ディスク媒体を回転させるスピンドルモータと、
前記磁気ディスク媒体に対するデータの記録再生の制御を行う制御回路と、
周囲温度を検知するための温度検知回路と、
半導体メモリー回路と、を備え、
前記制御回路は、
前記温度検知回路で検知された検知温度が設定温度以下となった場合、前記記録領域の任意の領域に第１の一時記録領域と通常記録領域とを設け、
前記データを前記第１の一時記録領域に一時記録データとして一時記録し、
その後、前記検知温度が設定温度以上になった場合、前記一時記録データを前記通常記録領域に代替記録する、
磁気記録再生装置。
【請求項４】（補正後）前記半導体メモリー回路は、
前記データを一時記録するための第２の一時記録領域が予め設けられた、
請求項１から請求項３のいずれか１項に記載の磁気記録再生装置。
【請求項５】（補正後）前記一時記録データは、
前記通常記録領域に記録されるデータに比べ、前記磁気ディスク媒体の円周方向の記録密度が低い記録密度で記録される、
請求項１から請求項３のいずれか１項に記載の磁気記録再生装置。
【請求項６】前記第１の一時記録領域は、
前記磁気ディスク媒体の外周部に配置されている、
請求項５に記載の磁気記録再生装置。
【請求項７】（補正後）前記一時記録データは、
前記通常記録領域に記録されるデータに比べ、低い記録トラック密度で記録される、
請求項１から請求項３のいずれか１項に記載の磁気記録再生装置。
【請求項８】前記一時記録データは、
少なくとも１記録トラックおきに記録される、
請求項７に記載の磁気記録再生装置。
【請求項９】前記一時記録データは、
前記通常記録領域に記録されるデータに比べ、前記磁気ヘッドと前記磁気ディスク媒体との相対速度が速い速度で記録される、
請求項５に記載の磁気記録再生装置。
【請求項１０】前記第１の一時記録領域は、
前記磁気ディスク媒体の内周部に配置されている、
請求項９に記載の磁気記録再生装置。
【請求項１１】（補正後）前記制御回路は、
前記第１の一時記録領域の空き領域がなくなる時点で、第１の警告を発するとともに、前記一時記録データの書き込み禁止処理を行う、
請求項１または請求項２のいずれか１項に記載の磁気記録再生装置。
【請求項１２】（補正後）前記制御回路は、
前記第２の記録領域に前記データを一時記録し、
前記第２の一時記録領域の空き領域がなくなった後、前記データを前記第１の一時記録領域に一時記録する、
請求項４に記載の磁気記録再生装置。
【請求項１３】（補正後）前記制御回路は、
前記第２の一時記録領域の空き領域がなくなる時点で、第２の警告を発し、
さらに、前記第１の一時記録領域の空き領域がなくなる時点で第１の警告を発するとともに、
前記一時記録データの書き込み禁止処理を行う、
請求項１２に記載の磁気記録再生装置。
【請求項１４】（補正後）前記制御回路は、
前記一時記録データを一時記録した後、前記検知温度が設定温度以上になった場合、前記一時記録データを前記通常記録領域に予め設定されたタイミングで自動的に代替記録を行う、
請求項１から請求項３のいずれか１項に記載の磁気記録再生装置。
【請求項１５】前記制御回路に接続されたホスト機器をさらに備え、
前記ホスト機器の充電動作中に前記代替記録を行う、
請求項１４に記載の磁気記録再生装置。
【請求項１６】前記通常記録領域に代替される前記一時記録データは、
前記代替記録時と前記代替記録後との少なくともいずれかに、前記一時記録データがデータベリファイされたデータである、
請求項１４に記載の磁気記録再生装置。
【請求項１７】前記一時記録データは、
前記データベリファイが完了した後に削除される、
請求項１６に記載の磁気記録再生装置。
【請求項１８】前記第１の一時記録領域は、
前記データベリファイの完了時と前記データベリファイの完了した後との少なくともいずれかに、ＤＣイレースされる、
請求項１７に記載の磁気記録再生装置。
【請求項１９】（補正後）前記磁気ディスク媒体は、
前記一時記録データの論理アドレスが記録され、
前記制御回路は、
前記論理アドレスを管理する、
請求項３に記載の磁気記録再生装置。
【請求項２０】（補正後）前記一時記録データは、
一時的な記録であることを示す識別符号が付加される、
請求項３に記載の磁気記録再生装置。
【請求項２１】（補正後）前記一時記録データは、
前記検知温度に基づいて決定される一時記録条件で一時記録される、
請求項３に記載の磁気記録再生装置。
【請求項２２】（補正後）データの記録モード設定時に、初期のデータ記録条件を設定する初期条件設定ステップと、
温度検知回路によって、第１の検知温度を検知する第１の温度検知ステップと、
前記第１の検知温度に基づいて、磁気ディスク媒体に予め設けられた第１の一時記録領域に、前記データの一時記録を行うかどうかを判定する一時記録判定ステップと、
前記一時記録判定ステップで、前記一時記録を行うと判定された場合、前記第１の検知温度に応じた、前記一時記録のための一時記録条件を制御回路に設定する一時記録条件設定ステップと、
前記第１の一時記録領域に前記データを一時記録データとして一時記録する一時記録ステップと、
前記一時記録を終了する一時記録終了ステップと、
前記一時記録判定ステップで、前記一時記録を行わないと判定された場合、前記初期のデータ記録条件で前記データを通常記録データとして通常記録する通常記録ステップと、
前記通常記録を終了する通常記録終了ステップと、
代替記録モード設定時に、前記温度検知回路によって、第２の検知温度を検知する第２の温度検知ステップと、
前記第２の検知温度に基づいて、前記磁気ディスク媒体の前記第１の一時記録領域以外に予め設けられた通常記録領域に、前記一時記録データの代替記録を行うかどうかを判定する代替記録判定ステップと、
前記代替記録判定ステップで、前記代替記録を行うと判定された場合、前記代替記録のための条件を前記制御回路に設定する代替記録条件設定ステップと、
前記通常記録領域に前記一時記録データを代替記録データとして代替記録する代替記録ステップと、
前記代替記録を終了する代替記録終了ステップと、
前記代替記録判定ステップで、前記代替記録を行わないと判定された場合、前記代替記録モードを中止する代替記録中止ステップと、を備えた、
磁気記録再生装置のデータ記録方法。
【請求項２３】（補正後）前記一時記録条件設定ステップは、
前記第１の検知温度と前記第１の検知温度に応じて決定される一時記録条件との関係を表す一時記録条件テーブルから前記一時記録条件を選択して制御回路に設定する、
請求項２２に記載の磁気記録再生装置のデータ記録方法。
【請求項２４】（補正後）データの記録モード設定時に、初期のデータ記録条件を設定する初期条件設定ステップと、
温度検知回路によって、第１の検知の温度を検知する第１の温度検知ステップと、
前記第１の検知温度に基づいて、磁気ディスク媒体の任意の記録領域に設けられる第１の一時記録領域に、前記データの一時記録を行うかどうかを判定する一時記録判定ステップと、
前記一時記録判定ステップで、前記一時記録を行うと判定された場合、前記一時記録のための一時記録条件を制御回路に設定する一時記録条件設定ステップと、
前記第１の一時記録領域に前記データを一時記録データとして一時記録する一時記録ステップと、
前記一時記録を終了する一時記録終了ステップと、
前記一時記録判定ステップで、前記一時記録を行わないと判定された場合、前記初期のデータ記録条件で前記データを通常記録データとして通常記録する通常記録ステップと、
前記通常記録を終了する通常記録終了ステップと、
代替記録モード設定時に、前記温度検知回路によって、第２の検知温度を検知する第２の温度検知ステップと、
前記第２の検知温度に基づいて、前記第１の一時記録領域以外の前記磁気ディスク媒体の任意の通常記録領域に、前記一時記録データの代替記録を行うかどうか判定する代替記録判定ステップと、
前記代替記録判定ステップで、前記代替記録を行うと判定された場合、前記代替記録のための条件を前記制御回路に設定する代替記録条件設定ステップと、
前記通常記録領域に前記一時記録データを代替記録データとして代替記録する代替記録ステップと、
前記代替記録を終了する代替記録終了ステップと、
前記代替記録判定ステップで、前記代替記録を行わないと判定された場合、前記代替記録モードを中止する代替記録中止ステップと、を備えた、
磁気記録再生装置のデータ記録方法。
【請求項２５】（補正後）前記一時記録判定ステップは、
前記第１の検知温度が設定温度以下となった場合、前記一時記録を行うと判定する、
請求項２２から請求項２４のいずれか１項に記載の磁気記録再生装置のデータ記録方法。
【請求項２６】（補正後）前記一時記録ステップは、
半導体メモリー回路に予め設けられた第２の一時記録領域に前記データを一時記録データとして一時記録する、
請求項２２から請求項２４のいずれか１項に記載の磁気記録再生装置のデータ記録方法。
【請求項２７】（補正後）前記一時記録条件は、
前記初期のデータ記録条件に比べ、前記磁気ディスク媒体の円周方向の記録密度が低い記録条件である、
請求項２２から請求項２４のいずれか１項に記載の磁気記録再生装置のデータ記録方法。
【請求項２８】（補正後）前記第１の一時記録領域は、前記磁気ディスク媒体の外周部に配置された、
請求項２７に記載の磁気記録再生装置のデータ記録方法。
【請求項２９】（補正後）前記一時記録条件は、
前記初期のデータ記録条件に比べ、記録トラック密度が低い記録条件である、
請求項２２から請求項２４のいずれか１項に記載の磁気記録再生装置のデータ記録方法。
【請求項３０】（補正後）前記一時記録条件は、
少なくとも１記録トラックおきに記録する記録条件である、
請求項２９記載の磁気記録再生装置のデータ記録方法。
【請求項３１】（補正後）前記一時記録条件は、
前記初期のデータ記録条件に比べ、磁気ヘッドと前記磁気ディスク媒体の相対速度が高い記録条件である、
請求項２２から請求項２４のいずれか１項に記載の磁気記録再生装置のデータ記録方法。
【請求項３２】（補正後）前記第１の一時記録領域は、前記磁気ディスク媒体の内周部に配置される、
請求項３１に記載の磁気記録再生装置のデータ記録方法。
【請求項３３】（補正後）前記第１の一時記録領域の空き領域がなくなる時点で、第１の警告を発する第１の警告発令ステップと、
前記一時記録データの書き込み禁止処理を行う一時記録中止ステップと、をさらに備えた、
請求項２２に記載の磁気記録再生装置のデータ記録方法。
【請求項３４】（補正後）前記一時記録ステップは、
前記第２の一時記録領域に前記データを一時記録し、
前記第２の一時記録領域の空き領域がなくなった時点で、前記第１の一時記録領域に、前記データを一時記録する、
請求項２６に記載の磁気記録再生装置のデータ記録方法。
【請求項３５】（補正後）前記第２の一時記録領域の空き領域がなくなる時点で、第２の警告を発する第２の警告発令ステップと、
前記第１の一時記録の空き領域がなくなる時点で、第１の警告を発する第１の警告発令ステップと、
前記一時記録データの書き込み禁止処理を行う一時記録中止ステップと、をさらに備えた、
請求項３４に記載の磁気記録再生装置のデータ記録方法。
【請求項３６】（補正後）予め設定されたタイミングで、自動的に前記代替記録モードが設定される、
請求項２２から請求項２４のいずれか１項に記載の磁気記録再生装置のデータ記録方法。
【請求項３７】（補正後）前記代替記録ステップは、
前記制御回路に接続されるホスト機器の充電動作中に実行される、
請求項３６に記載の磁気記録再生装置のデータ記録方法。
【請求項３８】（補正後）前記代替記録データと前記一時記録データとをデータベリファイするデータベリファイステップをさらに備え、
前記データベリファイステップは、前記代替記録ステップと同時か、前記代替記録ステップの後か、の少なくともいずれかに実行される、
請求項３６に記載の磁気記録再生装置のデータ記録方法。
【請求項３９】（補正後）前記データベリファイステップは、
前記一時記録データのデータベリファイが完了した後に、前記データベリファイが完了した一時記録データを削除する、
請求項３８に記載の磁気記録再生装置のデータ記録方法。
【請求項４０】（補正後）前記第１の一時記録領域をＤＣイレースするＤＣイレースステップをさらに備え、
前記ＤＣイレースステップは、前記データベリファイステップと同時か、前記データベリファイステップの後か、の少なくともいずれかに実行される、
請求項３９に記載の磁気記録再生装置のデータ記録方法。
【請求項４１】（補正後）前記一時記録判定ステップは、
前記第１の検知温度が予め決められた設定温度以下となった場合、前記一時記録を行うと判定し、
前記一時記録データの論理アドレスを前記磁気ディスク媒体に記録し、前記論理アドレスを前記制御回路で管理する管理ステップをさらに備えた、
請求項２４に記載の磁気記録再生装置のデータ記録方法。
【請求項４２】（追加）前記一時記録データは、一時的な記録であることを示す識別符号が付加される、
請求項２４に記載の磁気記録再生装置のデータ記録方法。
【請求項４３】（追加）前記一時記録条件は、前記第１の検知温度に基づいて決定され、
前記一時記録データは、前記一時記録条件で一時記録される、
請求項２４に記載の磁気記録再生装置のデータ記録方法。
５４
【国際調査報告】
2006068035.tif 000031
2006068035.tif 000032
2006068035.tif 000033
2006068035.tif 000034
2006068035.tif 000035
2006068035.tif 000036
2006068035.tif 000037
2006068035.tif 000038
2006068035.tif 000039